(57)【要約】【課題】電子教材に関連付けられたコンテンツの再生又は表示を、ユーザの意図に従い適切に実行することが可能なコンテンツ再生システム及びプログラムを提供する。【解決手段】端末装置３は、コンテンツが関連付けられた電子教科書２の関連付けエリアに関する関連付けエリア情報を記憶する。そして、端末装置３は、ユーザのタッチパネル操作に基づき、関連付けエリアに関連付けられたコンテンツの再生又は表示の順番を設定する。【選択図】図７
2014013433.tif 000002
【特許請求の範囲】
【請求項１】
電子教材を表示手段に表示させる表示制御手段と、
前記電子教材の所定の頁内のエリアであって、コンテンツと関連付けられた関連付けエリアの情報を記憶する記憶手段と、
頁めくりが必要な複数の頁にわたって前記関連付けエリアが複数設けられた場合に、当該関連付けエリアの各々に関連付けられた前記コンテンツの再生又は表示の順番を外部入力に基づき設定する再生順番設定手段と、
を有することを特徴とする端末装置。
【請求項２】
前記関連付けエリアに関連付けられたコンテンツを再生又は表示する再生制御手段をさらに備え、
前記表示制御手段は、再生又は表示される前記コンテンツと関連付けられた関連付けエリアが、前記表示手段が表示中の頁に存在しない場合、当該関連付けエリアが存在する頁を前記表示手段に表示させることを特徴とする請求項１に記載の端末装置。
【請求項３】
前記表示制御手段は、前記関連付けエリアが存在する頁を前記表示手段に表示させる際、頁がめくられる様子を前記表示手段に表示させることを特徴とする請求項２に記載の端末装置。
【請求項４】
前記再生順番設定手段は、前記外部入力に基づき前記関連付けエリアが選択された選択順に基づき、前記再生又は表示の順番を定めることを特徴とする請求項１乃至３のいずれか一項に記載の端末装置。
【請求項５】
前記電子教材には、順番設定用アイコンが設けられ、
前記再生順番設定手段は、前記順番設定用アイコンが選択された後に前記関連付けエリアが選択された前記選択順を認識することを特徴とする請求項４に記載の端末装置。
【請求項６】
前記電子教材には、前記再生順番設定手段が設定した前記再生又は表示の順番に基づき前記コンテンツを再生又は表示させるための再生用アイコンが設けられ、
前記再生用アイコンが選択された場合、再生又は表示すべき順番にあたる前記コンテンツの再生又は表示を行う再生制御手段をさらに有することを特徴とする請求項１乃至５のいずれか一項に記載の端末装置。
【請求項７】
前記表示制御手段は、前記再生又は表示の順番が設定されたコンテンツに対応する前記電子教材の前記関連付けエリアを前記表示手段に表示させる場合、当該関連付けエリアと対応させて前記コンテンツの前記再生又は表示の順番の表示を付すことを特徴とする請求項１乃至６のいずれか一項に記載の端末装置。
【請求項８】
前記表示制御手段は、前記電子教材の前記関連付けエリアを前記表示手段に表示させる場合、当該関連付けエリアを対応するコンテンツの種類ごとに色分けして前記表示手段に表示させることを特徴とする請求項１乃至７のいずれか一項に記載の端末装置。
【請求項９】
前記表示制御手段は、前記コンテンツが再生中又は表示中であっても、入力手段により入力されたストロークを前記電子教材に描画することを特徴とする請求項１乃至８のいずれか一項に記載の端末装置。
【請求項１０】
前記表示手段は、
接触位置を検知し、当該接触位置を示す検知信号を前記外部入力として前記端末装置へ送信する電子シートと、
前記端末装置から送信される画像信号に基づく光を前記電子シートの表面に出射するプロジェクタと、を有し、
前記表示制御手段は、前記電子教材を前記プロジェクタにより前記電子シートに投影表示させることを特徴とする請求項１乃至９のいずれか一項に記載の端末装置。
【請求項１１】
前記関連付けエリアに関連付けられたコンテンツを再生又は表示する再生制御手段と、
前記再生又は表示の順番が設定されたコンテンツのうち、再生又は表示されていないコンテンツが再生又は表示された場合、前記関連付けエリアに関連付けられた再生又は表示されていない各コンテンツの再生又は表示の順番を再設定する再生順番再設定手段と
を有することを特徴とする請求項１乃至１０のいずれか一項に記載の端末装置。
【請求項１２】
前記再生順番再設定手段は、
前記再生又は表示されていない各コンテンツの再生又は表示の順番を、前記再生順番設定手段が設定した再生又は表示の順番に基づき再設定することを特徴とする請求項１１に記載の端末装置。
【請求項１３】
前記再生制御手段は、前記表示手段に表示された前記電子教材の頁内の前記関連付けエリアが選択された場合、設定された再生又は表示の順番に関わらず、当該関連付けエリアに関連付けられたコンテンツを再生又は表示することを特徴とする請求項１１または１２に記載の端末装置。
【請求項１４】
前記表示制御手段は、
前記表示手段に表示された前記電子教材の頁において、前記再生又は表示されていない各コンテンツに対応する前記関連付けエリアを前記表示手段に強調して表示させると共に、
前記再生又は表示されていない各コンテンツの前記再生又は表示の順番の表示を、対応する前記関連付けエリアに付すことを特徴とする請求項１１乃至１３のいずれか一項に記載の端末装置。
【請求項１５】
電子教材を表示手段に表示させる表示制御手段と、
前記電子教材の所定の頁内のエリアであって、コンテンツと関連付けられた関連付けエリアの情報を記憶する記憶手段と、
頁めくりが必要な複数の頁にわたって前記関連付けエリアが複数設けられた場合に、当該関連付けエリアの各々に関連付けられた前記コンテンツの再生又は表示の予定時刻を外部入力に基づき設定する再生設定手段と、
を有することを特徴とする端末装置。
【請求項１６】
前記再生設定手段は、前記コンテンツの再生又は表示の予定時刻を設定する前に、前記コンテンツの再生又は表示の順番を設定し、
前記表示制御手段は、設定された前記再生又は表示の各順番に対応する前記再生又は表示の予定時刻を入力するための入力欄を前記表示手段に表示させることを特徴とする請求項１５に記載の端末装置。
【請求項１７】
前記表示制御手段は、前記入力欄を、当該入力欄により前記再生又は表示の予定時刻を設定する前記コンテンツの前記関連付けエリアと対応付けて前記表示手段に表示させることを特徴とする請求項１６に記載の端末装置。
【請求項１８】
前記表示制御手段は、
前記再生又は表示の予定時刻が設定された後、当該再生又は表示の予定時刻及び現在時刻を含む所定の時間帯における前記再生又は表示の予定時刻の位置及び前記現在時刻の位置を示すバーを前記表示手段に表示させることを特徴とする請求項１５乃至１７のいずれか一項に記載の端末装置。
【請求項１９】
前記表示制御手段は、前記再生設定手段により設定された前記再生又は表示の予定時刻に所定時間以内に近づいた時に、前記バーにおける前記再生又は表示の予定時刻の表示を強調表示することを特徴とする請求項１８に記載の端末装置。
【請求項２０】
前記表示制御手段は、前記再生設定手段により設定された前記再生又は表示の予定時刻を経過しても対応するコンテンツがまだ再生又は表示されていない場合、前記バーにおける前記再生又は表示の予定時刻の表示を強調表示することを特徴とする請求項１８または１９に記載の端末装置。
【請求項２１】
前記再生設定手段により設定された前記再生又は表示の予定時刻を経過しても対応するコンテンツがまだ再生又は表示されていない場合、当該コンテンツを自動的に再生又は表示させる再生制御手段をさらに備えることを特徴とする請求項１８に記載の端末装置。
【請求項２２】
前記表示制御手段は、既に再生又は表示されたコンテンツに対応する前記バーにおける前記再生又は表示の予定時刻の表示に対し、既に前記コンテンツが再生又は表示された旨の表示を付すことを特徴とする請求項１８乃至２１のいずれか一項に記載の端末装置。
【請求項２３】
前記表示制御手段は、前記再生設定手段により設定されたコンテンツの前記再生又は表示の予定時刻と、当該コンテンツが実際に再生又は表示された時刻とが異なる場合、前記バーにおける当該コンテンツの前記表示又は再生の予定時刻の表示位置を、当該コンテンツが実際に再生又は表示された時刻の位置に変更することを特徴とする請求項１８乃至２２のいずれか一項に記載の端末装置。
【請求項２４】
前記表示手段は、
接触位置を検知し、当該接触位置を示す検知信号を前記外部入力として前記端末装置へ送信する電子シートと、
前記端末装置から送信される画像信号に基づく光を前記電子シートの表面に出射するプロジェクタと、を有し、
前記表示制御手段は、
前記電子教材を前記プロジェクタにより前記電子シートに投影表示させることを特徴とする請求項１５乃至２３のいずれか一項に記載の端末装置。
【請求項２５】
請求項１乃至２４のいずれか一項に記載の端末装置として機能させることを特徴とするプログラム。
【請求項２６】
コード化パターンが印刷された教材と、
端末装置と、
コード化パターンを読み取ってペン先部の位置座標またはコード値を演算し、当該位置座標またはコード値を含む記入情報を前記端末装置に送信する電子ペンと、
を備えるコンテンツ再生システムにおいて、
前記端末装置は、
コンテンツと関連付けられた前記教材の関連付けエリアの情報を記憶する記憶手段と、
頁めくりが必要な複数の頁にわたって前記関連付けエリアが複数設けられた場合に、当該関連付けエリアの各々に関連付けられた前記コンテンツの再生又は表示の順番を、前記電子ペンから受信した記入情報に基づき設定する再生順番設定手段と、
を有することを特徴とするコンテンツ再生システム。
【請求項２７】
前記端末装置は、
前記電子ペンから受信した記入情報に基づき、前記関連付けエリアに関連付けられたコンテンツを再生又は表示する再生制御手段と、
前記再生又は表示の順番が設定されたコンテンツのうち、再生又は表示されていないコンテンツが再生又は表示された場合、前記関連付けエリアに関連付けられた再生又は表示されていない各コンテンツの再生又は表示の順番を再設定する再生順番再設定手段と、
をさらに有することを特徴とする請求項２６に記載のコンテンツ再生システム。
【請求項２８】
端末装置と、
コード化パターンを読み取ってペン先部の位置座標またはコード値を演算し、当該位置座標またはコード値を含む記入情報を前記端末装置に送信する電子ペンと、
コード化パターンが表面に付されたスクリーンと、
前記端末装置から送信される画像信号に基づく光を前記スクリーンの表面に出射するプロジェクタとを備え、
前記端末装置は、
電子教材を前記プロジェクタにより前記スクリーンに投影表示させる表示制御手段と、
前記電子教材の所定の頁内のエリアであって、コンテンツと関連付けられた関連付けエリアの情報を記憶する記憶手段と、
頁めくりが必要な複数の頁にわたって前記関連付けエリアが複数設けられた場合に、当該関連付けエリアの各々に関連付けられた前記コンテンツの再生又は表示の順番を、前記電子ペンから受信した記入情報に基づき設定する再生順番設定手段と、
を有することを特徴とするコンテンツ再生システム。
【請求項２９】
前記端末装置は、
前記電子ペンから受信した記入情報に基づき、前記関連付けエリアに関連付けられたコンテンツを再生又は表示する再生制御手段と、
前記再生又は表示の順番が設定されたコンテンツのうち、再生又は表示されていないコンテンツが再生又は表示された場合、前記関連付けエリアに関連付けられた再生又は表示されていない各コンテンツの再生又は表示の順番を再設定する再生順番再設定手段と
をさらに有することを特徴とする請求項２８に記載のコンテンツ再生システム。
【請求項３０】
コード化パターンが印刷された教材と、
端末装置と、
コード化パターンを読み取ってペン先部の位置座標またはコード値を演算し、当該位置座標またはコード値を含む記入情報を前記端末装置に送信する電子ペンと、
を備えるコンテンツ再生システムにおいて、
前記端末装置は、
コンテンツと関連付けられた前記教材の関連付けエリアの情報を記憶する記憶手段と、
頁めくりが必要な複数の頁にわたって前記関連付けエリアが複数設けられた場合に、当該関連付けエリアの各々に関連付けられた前記コンテンツの再生又は表示の予定時刻を前記電子ペンから受信した記入情報に基づき設定する再生設定手段と、
を備えることを特徴とするコンテンツ再生システム。
【請求項３１】
端末装置と、
コード化パターンを読み取ってペン先部の位置座標またはコード値を演算し、当該位置座標またはコード値を含む記入情報を前記端末装置に送信する電子ペンと、
コード化パターンが表面に付されたスクリーンと、
前記端末装置から送信される画像信号に基づく光を前記スクリーンの表面に出射するプロジェクタとを備え、
前記端末装置は、
電子教材を前記プロジェクタにより前記スクリーンに投影表示させる表示制御手段と、
前記電子教材の所定の頁内のエリアであって、コンテンツと関連付けられた関連付けエリアの情報を記憶する記憶手段と、
頁めくりが必要な複数の頁にわたって前記関連付けエリアが複数設けられた場合に、当該関連付けエリアの各々に関連付けられた前記コンテンツの再生又は表示の予定時刻を前記電子ペンから受信した記入情報に基づき設定する再生設定手段と、
を有することを特徴とするコンテンツ再生システム。
【発明の詳細な説明】
【技術分野】
【０００１】
本発明は、電子教材に関連付けられた動画像などのコンテンツを再生する技術に関する。
【背景技術】
【０００２】
従来から、記入した情報を電子化する電子ペンが開発されており、その代表的なものとしてスウェーデンのＡｎｏｔｏ社が開発した「アノトペン（Ａｎｏｔｏ  ｐｅｎ）」が知られている。例えば、特許文献１に記載されているように、アノトペンは、用紙に印刷された所定のドットパターンを読み取って記入情報を生成し、当該記入情報を端末装置に送信する。
【０００３】
特許文献２には、ドットパターンに対向する電子ペンの角度に起因するドットの画像上の配列を補正する回転補正処理機能が記載されている。さらに、特許文献３には、授業の際には、予め用意されたシナリオに基づき、教材データをスクリーン上に表示する授業支援システムが記載されている。この授業支援システムでは、「次頁」と表示されたボタンが画面上で選択されることで、画面内に設けられた表示領域全体が予め用意されたシナリオ通りに遷移する。
【先行技術文献】
【特許文献】
【０００４】
【特許文献１】特許第３８７２４９８号公報
【特許文献２】特表２００３−５２９８５３号公報
【特許文献３】特開２００２−０７２８５０号公報
【発明の概要】
【発明が解決しようとする課題】
【０００５】
電子教科書（教材）の所定の図面部分などに関連する動画などのコンテンツを関連付けておき、授業中では、スクリーン等に電子教材を表示させつつ、コンテンツを関連付けたエリアを適宜選択して、そのコンテンツを講師の任意のタイミングで再生することができると便宜である。一方、電子教材に複数のコンテンツが関連付けられている場合には、講師は、授業中でのコンテンツの再生順番を間違えてしまう可能性がある。従って、この場合には、これらの複数のコンテンツを再生又は表示する順番を予め設定することができると便宜である。そこで、本発明は、電子教材に関連付けられたコンテンツの再生又は表示を、ユーザの意図に従い適切に実行することが可能な端末装置、コンテンツ再生システム及びプログラムを提供することを主な課題とする。
【課題を解決するための手段】
【０００６】
本発明に係る端末装置は、電子教材を表示手段に表示させる表示制御手段と、前記電子教材の所定の頁内のエリアであって、コンテンツと関連付けられた関連付けエリアの情報を記憶する記憶手段と、頁めくりが必要な複数の頁にわたって前記関連付けエリアが複数設けられた場合に、当該関連付けエリアの各々に関連付けられた前記コンテンツの再生又は表示の順番を外部入力に基づき設定する再生順番設定手段と、を有する。
【０００７】
上記端末装置は、表示制御手段と、記憶手段と、再生順番設定手段とを有する。表示制御手段は、電子教材を表示手段に表示させる。記憶手段は、電子教材の所定の頁内のエリアであって、コンテンツと関連付けられた関連付けエリアの情報を記憶する。再生順番設定手段は、頁めくりが必要な複数の頁にわたって関連付けエリアが複数設けられた場合に、当該関連付けエリアの各々に関連付けられたコンテンツの再生又は表示の順番を外部入力に基づき設定する。これにより、授業などにおいて、ユーザは、再生すべきコンテンツの順番を間違えることなく想定した順番通りにコンテンツの再生又は表示を行うことができる。
【０００８】
上記端末装置の一態様では、前記関連付けエリアに関連付けられたコンテンツを再生又は表示する再生制御手段をさらに備え、前記表示制御手段は、再生又は表示される前記コンテンツと関連付けられた関連付けエリアが、前記表示手段が表示中の頁に存在しない場合、当該関連付けエリアが存在する頁を前記表示手段に表示させる。この態様により、端末装置は、再生又は表示されるコンテンツに対応する頁をユーザに認識させることができる。
【０００９】
上記端末装置の他の一態様では、前記表示制御手段は、前記関連付けエリアが存在する頁を前記表示手段に表示させる際、頁がめくられる様子を前記表示手段に表示させる。この態様により、端末装置は、再生又は表示されるコンテンツに対応する頁が現在表示中の頁とは異なる頁であることをユーザに容易に認識させることができる。
【００１０】
上記端末装置の他の一態様では、前記再生順番設定手段は、前記外部入力に基づき前記関連付けエリアが選択された選択順に基づき、前記再生又は表示の順番を定める。この態様により、ユーザは、表示手段に表示された関連付けエリアを順に選択することで、電子教材に関連付けられたコンテンツの再生又は表示の順番を定めることができる。
【００１１】
上記端末装置の他の一態様では、前記電子教材には、前記再生又は表示の順番を定める処理を開始するための順番設定用アイコンが設けられ、前記再生順番設定手段は、前記順番設定用アイコンが選択された後に前記関連付けエリアが選択された前記選択順を認識する。この態様により、端末装置は、電子教材に関連付けられたコンテンツの再生又は表示の順番を、ユーザの任意のタイミングで定めることができる。
【００１２】
上記端末装置の他の一態様では、前記電子教材には、前記再生順番設定手段が設定した前記再生又は表示の順番に基づき前記コンテンツを再生又は表示させるための再生用アイコンが設けられ、前記再生用アイコンが選択された場合、再生又は表示すべき順番にあたる前記コンテンツの再生又は表示を行う再生制御手段をさらに有する。この態様により、ユーザは、再生用アイコンを選択する操作を行うだけで、順番を設定したコンテンツを、順に端末装置に再生又は表示させることができる。
【００１３】
上記端末装置の他の一態様では、前記表示制御手段は、前記再生又は表示の順番が設定されたコンテンツに対応する前記電子教材の前記関連付けエリアを前記表示手段に表示させる場合、当該関連付けエリアと対応させて前記コンテンツの前記再生又は表示の順番の表示を付す。このようにすることで、端末装置は、ディスプレイ上に電子教材を表示した場合に、設定された再生又は表示の順番を容易に視認させることが可能となる。
【００１４】
上記端末装置の他の一態様では、前記表示制御手段は、前記電子教材の前記関連付けエリアを前記表示手段に表示させる場合、当該関連付けエリアを対応するコンテンツの種類ごとに色分けして前記表示手段に表示させる。このようにすることで、端末装置は、関連付けエリアに関連付けられているコンテンツの種類を、ユーザに容易に認識させることができる。
【００１５】
上記端末装置の他の一態様では、前記表示制御手段は、前記コンテンツが再生中又は表示中であっても、入力手段により入力されたストロークを前記電子教材に描画する。このようにすることで、端末装置は、コンテンツの再生時等であっても、電子教材上への書込みを実行させることができ、利便性を向上させることができる。
【００１６】
上記端末装置の他の一態様では、前記表示手段は、接触位置を検知し、当該接触位置を示す検知信号を前記外部入力として前記端末装置へ送信する電子シートと、前記端末装置から送信される画像信号に基づく光を前記電子シートの表面に出射するプロジェクタと、を有し、前記表示制御手段は、前記電子教材を前記プロジェクタにより前記電子シートに投影表示させる。この態様により、端末装置は、電子教材が表示された電子シート上への操作に基づき、同一頁又は同一見開き頁に関連付けられたコンテンツの再生又は表示の順番を好適に定めることができる。
【００１７】
上記端末装置の他の一態様では、端末装置は、前記関連付けエリアに関連付けられたコンテンツを再生又は表示する再生制御手段と、前記再生又は表示の順番が設定されたコンテンツのうち、再生又は表示されていないコンテンツが再生又は表示された場合、前記関連付けエリアに関連付けられた再生又は表示されていない各コンテンツの再生又は表示の順番を再設定する再生順番再設定手段とを有する。これにより、端末装置は、予め設定した順番と異なる順に一部のコンテンツを再生又は表示させた場合であっても、残余の未再生コンテンツの再生順番を設定することができる。
【００１８】
上記端末装置の他の一態様では、前記再生順番再設定手段は、前記再生又は表示されていない各コンテンツの再生又は表示の順番を、前記再生順番設定手段が設定した再生又は表示の順番に基づき再設定する。これにより、端末装置は、予め設定した順番と異なる順に一部のコンテンツを再生又は表示させた場合であっても、残余の未再生コンテンツの再生順番を好適に設定することができる。
【００１９】
上記端末装置の他の一態様では、前記再生制御手段は、前記表示手段に表示された前記電子教材の頁内の前記関連付けエリアが選択された場合、設定された再生又は表示の順番に関わらず、当該関連付けエリアに関連付けられたコンテンツを再生又は表示する。このように、端末装置は、予め設定した順番と異なる順に一部のコンテンツを再生又は表示させた場合であっても、残余の未再生コンテンツの再生順番を好適に設定することができる。
【００２０】
上記端末装置の他の一態様では、前記表示制御手段は、前記表示手段に表示された前記電子教材の頁において、前記再生又は表示されていない各コンテンツに対応する前記関連付けエリアを前記表示手段に強調して表示させると共に、前記再生又は表示されていない各コンテンツの前記再生又は表示の順番の表示を、対応する前記関連付けエリアに付す。この態様により、ユーザは、残余の未再生コンテンツの再生順番を容易に把握することができる。
【００２１】
本発明に係る端末装置の別の態様では、端末装置は、電子教材を表示手段に表示させる表示制御手段と、前記電子教材の所定の頁内のエリアであって、コンテンツと関連付けられた関連付けエリアの情報を記憶する記憶手段と、頁めくりが必要な複数の頁にわたって前記関連付けエリアが複数設けられた場合に、当該関連付けエリアの各々に関連付けられた前記コンテンツの再生又は表示の予定時刻を外部入力に基づき設定する再生設定手段と、を有する。
【００２２】
上記の端末装置は、表示制御手段と、記憶手段と、再生設定手段とを有し、頁めくりが必要な複数の頁にわたって関連付けエリアが複数設けられた場合に、関連付けエリアの各々に関連付けられたコンテンツの再生又は表示の予定時刻を設定する。このとき、端末装置は、電子教材を表示し、ユーザの操作等による外部入力に基づきコンテンツの再生又は表示の予定時刻を定める。ここで、「コンテンツの再生又は表示の予定時刻」とは、コンテンツの再生又は表示の開始時刻に限定されず、コンテンツの再生又は表示が継続して行われる期間（時間帯）を示すものであってもよい。この態様により、ユーザは、授業などで再生すべき各コンテンツの再生又は表示の予定時刻を端末装置に設定することができる。
【００２３】
上記端末装置の一態様では、前記再生設定手段は、前記コンテンツの再生又は表示の予定時刻を設定する前に、前記コンテンツの再生又は表示の順番を設定し、前記表示制御手段は、設定された前記再生又は表示の各順番に対応する前記再生又は表示の予定時刻を入力するための入力欄を前記表示手段に表示させる。この態様により、端末装置は、好適に、再生又は表示されることが予定されている各コンテンツの再生又は表示の予定時刻を設定することができる。
【００２４】
上記端末装置の他の一態様では、前記表示制御手段は、前記入力欄を、当該入力欄により前記再生又は表示の予定時刻を設定する前記コンテンツの前記関連付けエリアと対応付けて前記表示手段に表示させる。この態様により、ユーザは、再生又は表示の予定時刻を設定するコンテンツに対応する関連付けエリアを参照しつつ、時刻設定を行うことができる。
【００２５】
上記端末装置の他の一態様では、前記表示制御手段は、前記再生又は表示の予定時刻が設定された後、当該再生又は表示の予定時刻及び現在時刻を含む所定の時間帯における前記再生又は表示の予定時刻の位置及び前記現在時刻の位置を示すバーを前記表示手段に表示させる。この態様により、ユーザは、設定した各コンテンツの再生又は表示の予定時刻を容易に把握することができる。
【００２６】
上記端末装置の他の一態様では、前記表示制御手段は、前記再生設定手段により設定された前記再生又は表示の予定時刻に所定時間以内に近づいた時に、前記バーにおける前記再生又は表示の予定時刻の表示を強調表示する。この態様により、ユーザは、設定した各コンテンツの再生又は表示の予定時刻に近づいた場合に、その事実を容易に認識することができる。
【００２７】
上記端末装置の他の一態様では、前記表示制御手段は、前記再生設定手段により設定された前記再生又は表示の予定時刻を経過しても対応するコンテンツがまだ再生又は表示されていない場合、前記バーにおける前記再生又は表示の予定時刻の表示を強調表示する。この態様により、ユーザは、設定した各コンテンツの再生又は表示の予定時刻を経過した未再生又は未表示のコンテンツの存在を容易に把握することができる。
【００２８】
上記端末装置の他の一態様では、前記再生設定手段により設定された前記再生又は表示の予定時刻を経過しても対応するコンテンツがまだ再生又は表示されていない場合、当該コンテンツを自動的に再生又は表示させる再生制御手段をさらに備える。この態様により、端末装置は、ユーザが設定した再生予定時刻通りに各コンテンツを再生又は表示することができる。
【００２９】
上記端末装置の他の一態様では、前記表示制御手段は、既に再生又は表示されたコンテンツに対応する前記バーにおける前記再生又は表示の予定時刻の表示に対し、既に前記コンテンツが再生又は表示された旨の表示を付す。この態様により、ユーザは、バーに表示された再生又は表示の予定時刻の各表示が、既に再生又は表示されたコンテンツに対応するか否かを容易に見分けることができる。
【００３０】
上記端末装置の他の一態様では、前記表示制御手段は、前記再生設定手段により設定されたコンテンツの前記再生又は表示の予定時刻と、当該コンテンツが実際に再生又は表示された時刻とが異なる場合、前記バーにおける当該コンテンツの前記表示又は再生の予定時刻の表示位置を、当該コンテンツが実際に再生又は表示された時刻の位置に変更する。この態様により、ユーザは、コンテンツが実際に再生又は表示された時刻の位置を、バーを視認することで容易に把握することができる。
【００３１】
上記端末装置の一態様では、前記表示手段は、接触位置を検知し、当該接触位置を示す検知信号を前記外部入力として前記端末装置へ送信する電子シートと、前記端末装置から送信される画像信号に基づく光を前記電子シートの表面に出射するプロジェクタと、を有し、前記表示制御手段は、前記電子教材を前記プロジェクタにより前記電子シートに投影表示させる。この態様により、端末装置は、電子教材が表示された電子シート上への操作に基づき、電子教材に関連付けられたコンテンツの再生又は表示の予定時刻を好適に定めることができる。
【００３２】
本発明に係るプログラムは、上記記載のいずれか一つの端末装置として機能させる。これらのプログラムを端末装置にインストールして機能させることで、本発明に係る端末装置を構成させることができる。
【００３３】
本発明に係るコンテンツ再生システムは、コード化パターンが印刷された教材と、端末装置と、コード化パターンを読み取ってペン先部の位置座標またはコード値を演算し、当該位置座標またはコード値を含む記入情報を前記端末装置に送信する電子ペンと、を備えるコンテンツ再生システムにおいて、前記端末装置は、コンテンツと関連付けられた前記教材の関連付けエリアの情報を記憶する記憶手段と、頁めくりが必要な複数の頁にわたって前記関連付けエリアが複数設けられた場合に、当該関連付けエリアの各々に関連付けられた前記コンテンツの再生又は表示の順番を、前記電子ペンから受信した記入情報に基づき設定する再生順番設定手段と、を有する。
【００３４】
上記のコンテンツ再生システムは、コード化パターンが印刷された教材と、端末装置と、電子ペンとを有する。端末装置は、コンテンツと関連付けられた教材の関連付けエリアの情報を記憶する。また、端末装置は、頁めくりが必要な複数の頁にわたって関連付けエリアが複数設けられた場合に、当該関連付けエリアに関連付けられたコンテンツの再生又は表示の順番を、電子ペンから受信した記入情報に基づき設定する。このように、コンテンツ再生システムは、教材に関連付けられたコンテンツの再生順番を、電子ペンの記入情報に基づき定める。これにより、授業などにおいて、ユーザは、再生すべきコンテンツの順番を間違えることなく想定した順番通りにコンテンツの再生又は表示を行うことができる。
【００３５】
上記コンテンツ再生システムの一態様では、前記端末装置は、前記電子ペンから受信した記入情報に基づき、前記関連付けエリアに関連付けられたコンテンツを再生又は表示する再生制御手段と、前記再生又は表示の順番が設定されたコンテンツのうち、再生又は表示されていないコンテンツが再生又は表示された場合、前記関連付けエリアに関連付けられた再生又は表示されていない各コンテンツの再生又は表示の順番を再設定する再生順番再設定手段と、をさらに有する。この態様により、コンテンツ再生システムは、予め設定した順番と異なる順に一部のコンテンツを再生又は表示させた場合であっても、残余の未再生コンテンツの再生順番を設定することができる。
【００３６】
本発明に係るコンテンツ再生システムの別の態様では、コンテンツ再生システムは、端末装置と、コード化パターンを読み取ってペン先部の位置座標またはコード値を演算し、当該位置座標またはコード値を含む記入情報を前記端末装置に送信する電子ペンと、コード化パターンが表面に付されたスクリーンと、前記端末装置から送信される画像信号に基づく光を前記スクリーンの表面に出射するプロジェクタとを備え、前記端末装置は、電子教材を前記プロジェクタにより前記スクリーンに投影表示させる表示制御手段と、前記電子教材の所定の頁内のエリアであって、コンテンツと関連付けられた関連付けエリアの情報を記憶する記憶手段と、頁めくりが必要な複数の頁にわたって前記関連付けエリアが複数設けられた場合に、当該関連付けエリアの各々に関連付けられた前記コンテンツの再生又は表示の順番を、前記電子ペンから受信した記入情報に基づき設定する再生順番設定手段と、を有する。この態様によれば、コンテンツ再生システムは、コード化パターンが表面に付されたスクリーン上への電子ペンによる操作に基づき、ユーザが意図するコンテンツの再生順番を設定することができる。
【００３７】
上記コンテンツ再生システムの一態様では、前記端末装置は、前記電子ペンから受信した記入情報に基づき、前記関連付けエリアに関連付けられたコンテンツを再生又は表示する再生制御手段と、前記再生又は表示の順番が設定されたコンテンツのうち、再生又は表示されていないコンテンツが再生又は表示された場合、前記関連付けエリアに関連付けられた再生又は表示されていない各コンテンツの再生又は表示の順番を再設定する再生順番再設定手段とをさらに有する。この態様により、コンテンツ再生システムは、予め設定した順番と異なる順に一部のコンテンツを再生又は表示させた場合であっても、残余の未再生コンテンツの再生順番を好適に設定することができる。
【００３８】
本発明に係るコンテンツ再生システムの別の態様では、コード化パターンが印刷された教材と、端末装置と、コード化パターンを読み取ってペン先部の位置座標またはコード値を演算し、当該位置座標またはコード値を含む記入情報を前記端末装置に送信する電子ペンと、を備えるコンテンツ再生システムにおいて、前記端末装置は、コンテンツと関連付けられた前記教材の関連付けエリアの情報を記憶する記憶手段と、頁めくりが必要な複数の頁にわたって前記関連付けエリアが複数設けられた場合に、当該関連付けエリアの各々に関連付けられた前記コンテンツの再生又は表示の予定時刻を前記電子ペンから受信した記入情報に基づき設定する再生設定手段と、を備える。この態様により、コンテンツ再生システムは、教材への電子ペンによる操作に基づき、教材に関連付けられたコンテンツの再生又は表示の予定時刻を好適に定めることができる。
【００３９】
本発明に係るコンテンツ再生システムの別の態様では、端末装置と、コード化パターンを読み取ってペン先部の位置座標またはコード値を演算し、当該位置座標またはコード値を含む記入情報を前記端末装置に送信する電子ペンと、コード化パターンが表面に付されたスクリーンと、前記端末装置から送信される画像信号に基づく光を前記スクリーンの表面に出射するプロジェクタとを備え、前記端末装置は、電子教材を前記プロジェクタにより前記スクリーンに投影表示させる表示制御手段と、前記電子教材の所定の頁内のエリアであって、コンテンツと関連付けられた関連付けエリアの情報を記憶する記憶手段と、頁めくりが必要な複数の頁にわたって前記関連付けエリアが複数設けられた場合に、当該関連付けエリアの各々に関連付けられた前記コンテンツの再生又は表示の予定時刻を前記電子ペンから受信した記入情報に基づき設定する再生設定手段と、を有する。この態様により、コンテンツ再生システムは、コード化パターンが表面に付されたスクリーンへの電子ペンによる操作に基づき、電子教材に関連付けられたコンテンツの再生又は表示の予定時刻を好適に定めることができる。
【発明の効果】
【００４０】
本発明によれば、端末装置は、電子教材を表示すると共に、頁めくりが必要な複数の頁にわたって関連付けエリアが複数設けられた場合に、当該関連付けエリアの各々に関連付けられたコンテンツの再生順番を、外部入力に基づき定める。これにより、授業などにおいて、ユーザは、再生すべきコンテンツの順番を間違えることなく想定した順番通りにコンテンツの再生又は表示を行うことができる。また、端末装置は、関連付けエリアの各々に関連付けられたコンテンツの再生又は表示の予定時刻を外部入力に基づき設定する。これにより、ユーザは、授業などで再生すべき各コンテンツの再生又は表示の予定時刻を端末装置に設定することができる。
【図面の簡単な説明】
【００４１】
【図１】本実施形態に係るコンテンツ再生システムの構成を示す。
【図２】電子教科書の表示例である。
【図３】端末装置の機能ブロック図である。
【図４】関連付けエリア情報のデータ構造を示す。
【図５】関連付けエリアを色分け表示するためのアイコンが選択される直前の端末装置のディスプレイ画面を示す。
【図６】関連付けエリアを色分け表示するためのアイコンが選択された後の端末装置のディスプレイ画面を示す。
【図７】再生順番の設定に伴う電子教科書上での指先の位置変化を示す。
【図８】再生順番の設定に伴う電子教科書上での指先の位置変化を示す。
【図９】再生順番が設定された見開き頁が表示された端末装置のディスプレイ画面を示す。
【図１０】見開き頁上で再生操作が行われる様子を示す。
【図１１】ファイル「ワークシート１．ｐｄｆ」の表示例を示す。
【図１２】再生操作に伴い頁めくりが行われる状態の電子教科書を示したディスプレイ画面を示す。
【図１３】第２実施形態に係るコンテンツ再生システムの構成を示す。
【図１４】ドットパターンのドットとそのドットが変換される値との関係を示す。
【図１５】（ａ）は、ドットパターンを模式的に示し、（ｂ）は、それに対応する情報の例を示す図である。
【図１６】電子ペンの構造を示す概略図である。
【図１７】変形例に係る操作用紙の上面図である。
【図１８】第２実施形態の変形例に係る教科書の上面図である。
【図１９】第３実施形態において、第２２、２３頁が見開き状態で表示された電子教科書の上面図を示す。
【図２０】第３実施形態に係る端末装置の機能ブロック図である。
【図２１】第３実施形態に係る関連付けエリア情報のデータ構造を示す。
【図２２】時間設定用アイコンが選択された際に表示される再生時間帯設定画面を示す。
【図２３】完了ボタンが選択される直前の再生時間帯設定画面を示す。
【図２４】再生順番及び再生時間帯が設定された後に表示される再生時刻管理画面を示す。
【図２５】第３実施形態の変形例に係る再生時刻管理画面を示す。
【図２６】再生開始時間帯が再生開始時刻「１４時４０分」から再生終了時刻「１４時５０分」に設定された関連付けコンテンツ「断層○○町．ｍｐ４」が実際の再生時刻「１４時３０分」に再生された場合の再生時刻管理画面を示す。
【図２７】第４実施形態において、第２２、２３頁が見開き状態で表示された電子教科書２の上面図を示す。
【図２８】第４実施形態に係る端末装置の機能ブロック図である。
【図２９】第４実施形態に係る関連付けエリア情報のデータ構造を示す。
【図３０】更新再生順番の設定処理の手順を示すフローチャートである。
【図３１】初期再生順番が設定された後、ディスプレイに表示された見開き頁上で操作が行われていることを示す図である。
【図３２】未再生順番表示アイコンが選択された端末装置のディスプレイ画面を示す。
【発明を実施するための形態】
【００４２】
以下、図面を参照しながら、本発明を実施するのに好適な実施形態について説明する。以下に説明するコンテンツ再生システムは、学校の授業などに好適に用いられ、電子化された電子教科書（教材）の任意の範囲と動画などのコンテンツとが関連付けられており、頁めくりが必要な複数の頁にわたって関連付けられたコンテンツの再生順番を予め設定可能なシステムである。なお、以後では、「見開き頁」とは、電子教科書が表示された場合に上下又は左右に並ぶ頁の組を指す。
【００４３】
＜第１実施形態＞
［コンテンツ再生システムの構成］
図１は、第１実施形態に係るコンテンツ再生システムの構成を示す。図１に示すように、コンテンツ再生システムは、後述する電子教科書２を表示すると共にユーザからの入力に基づき所定の処理を行う端末装置３と、端末装置３と接続され、そのディスプレイの表示画面と同じ画像を電子黒板５に投影するプロジェクタ４と、接触された位置を検知可能な電子黒板（電子シート）５とを備える。以下、これらの各構成要素について説明する。
【００４４】
（電子教科書）
まず、端末装置３のディスプレイに表示される電子教科書２について説明する。図２は、ある頁（第２２、２３頁）が見開き状態で表示された電子教科書２の上面図を示す。なお、図２に示す電子教科書２は、電子黒板５にも同様に表示される。
【００４５】
図２に示すように、電子教科書２は、見開き頁ごとに表示され、各見開き頁は、教科書の内容が記載された内容表示領域２０と、選択可能な各アイコン４１乃至６１が表示された操作領域４０とを有する。
【００４６】
内容表示領域２０は、動画、画像、ＰＤＦ（登録商標）、音声データなどのコンテンツと関連付けられている領域（「関連付けエリア」とも呼ぶ。）を有する。関連付けエリアが選択された場合、当該領域に関連付けられたコンテンツ（「関連付けコンテンツ」とも呼ぶ。）が端末装置３により再生される。
【００４７】
次に、各アイコン４１乃至６１に関連付けられた機能について説明する。アイコン４１は、後述する図３に示す電子教科書２の目次を端末装置３のディスプレイに表示させるための操作領域である。アイコン４２は、端末装置３のディスプレイにコンテンツが再生又は表示されている場合に、当該コンテンツの前面に電子教科書２を表示させるための操作領域である。アイコン４３は、端末装置３のディスプレイに表示されている電子教科書２の見開き頁を、２頁分だけ前に戻すための操作領域である。アイコン４４は、端末装置３のディスプレイに表示されている電子教科書２の見開き頁を、２頁分だけ進めるための操作領域である。
【００４８】
アイコン４５、４６は、書込みモードに切り替えるための操作領域である。具体的には、アイコン４５は、電子教科書２上でスタイラスなどが接触した位置の軌跡を再現した自由曲線のストロークを電子教科書２上に描画する書込みモードに切り替えるための操作領域である。アイコン４６は、電子教科書２上でスタイラスなどが接触した位置の軌跡に基づく直線のストロークを電子教科書２上に描画する書込みモードに切り替えるための操作領域である。アイコン４７は、アイコン４５又は４６に対応する書込みモードにおいて描画されたストロークの色を赤色に指定するための操作領域であり、アイコン４８は、上述のストロークの色を青色に指定するための操作領域である。なお、後述するように、ユーザは、コンテンツの再生中においても、アイコン４５又は４６を選択し、ディスプレイ上におけるスタイラス等の接触位置の軌跡に基づくストロークを電子教科書２上に描画させることが可能である。
【００４９】
アイコン４９は、アイコン４５又は４６に対応する書込みモードにおいて描画されたストロークの表示及び非表示を切り替えるための操作領域である。アイコン５０は、電子教科書２上に描画されたストロークの表示位置をドラッグ操作に基づき移動させるモードに切り替えるための操作領域である。アイコン５１は、ドラッグ操作により指定された領域を拡大表示するための操作領域である。アイコン５２は、ディスプレイ上で接触を検知した位置に存在するストロークを消去するための操作領域である。アイコン５３は、当該アイコン５３が印刷されている見開き頁に描画されたストロークを全て消去するための操作領域である。アイコン５４は、停止中または一時停止中の動画の再生を開始するための操作領域である。アイコン５５は、再生中の動画の巻き戻しをするための操作領域である。アイコン５６は、再生中の動画を一時停止するための操作領域である。アイコン５７は、再生中の動画を早送りするための操作領域である。アイコン５８は、再生中の動画を停止するための操作領域である。
【００５０】
アイコン５９は、電子教科書２内の関連付けエリアを色付きで強調表示するための操作領域である。アイコン５９が選択された場合の表示例については、［関連付けエリアの表示］のセクションで詳しく説明する。順番設定用アイコン６０は、同一の見開き頁にある関連付けエリアに関連付けられたコンテンツの再生順番を設定するモード（「再生順番設定モード」とも呼ぶ。）の開始及び終了を指示するための操作領域である。再生順番設定モードについては、［再生順番の設定］のセクションで詳しく説明する。再生用アイコン６１は、設定された再生順番に従い、関連付けコンテンツを順に再生する指示を行う操作領域である。再生用アイコン６１に関連付けられた機能については、［コンテンツの再生］のセクションで詳しく説明する。
【００５１】
（プロジェクタ）
プロジェクタ４は、電子黒板５に対して鉛直上方向から斜め下向きに光を出射するプロジェクタであり、例えば教室の壁等に設置される。プロジェクタ４は、端末装置３から画像信号を受信し、端末装置３の画面と同じ画像を構成する光を所定の投影範囲５０に投影する。投影範囲５０には、電子教科書２などが表示される。なお、プロジェクタ４は、電子黒板５の正面へ向けて光を出射するフロントプロジェクタ、又は、電子黒板５の背面へ向けて光を出射するリアプロジェクタであってもよい。
【００５２】
（電子黒板）
電子黒板５は、圧力を検知することが可能に構成された感圧式ボード（シート）である。そして、電子黒板５に所定のペン（スタイラス）により圧力が加わるとボード中に設けられた電気伝導性の２枚のシートが接触して電気信号が発生し、当該電気信号に基づく入力情報を端末装置３に送信する。そして、端末装置３は、電子黒板５から受信した入力情報に基づき、接触位置を検出する。
【００５３】
また、電子黒板５の投影範囲５０には、端末装置３の画面と同じ画像を構成する光がプロジェクタ４により投影される。具体的には、投影範囲５０には、図２に示す電子教科書２が投影表示される。
【００５４】
なお、電子黒板５は、ボード表面の直下にワイヤが埋め込まれた電磁式ボードであってもよい。この場合、コンテンツ再生システムは、コイルを埋め込んだスタイラスを備え、スタイラスを電磁式ボードに接触させると、電磁式ボードは、スタイラスとの電磁誘導に基づき接触位置に相当する電気信号を発生し、当該電気信号に基づき、端末装置３は、接触位置を検出する。
【００５５】
そして、電子黒板５がいずれの入力方式である場合も、端末装置３は、後述するように、電子黒板５にかかる座標系を端末装置３のディスプレイにかかる座標系に変換するための座標変換関数を予め求める。そして、端末装置３は、求められた座標変換関数を用いて、ボード上の接触位置に相当する座標データを受信した場合に、表示手段３６のディスプレイにかかる座標系のデータに変換し、表示された電子教科書２内のいずれのアイコン４１乃至６１又は関連付けエリアが選択されたか等を検知する。
【００５６】
（端末装置）
次に、端末装置３について説明する。端末装置３は、ハードウェアとして、電子黒板５とのデータ通信が可能なアンテナ装置、ＣＰＵ等のプロセッサ、ＲＯＭやＲＡＭといったメモリ、ディスプレイ、マウスやキーボード等で構成される。なお、端末装置３は、ｉＰａｄ（登録商標）などのタブレットＰＣやＰＤＡ（Ｐｅｒｓｏｎａｌ  Ｄａｔａ  Ａｓｓｉｓｔａｎｃｅ）、またはディスプレイを備えるＰＣ（パーソナルコンピュータ）等で構成されてもよい。ここでは、一例として、端末装置３は、タッチパネルによる入力が可能なタブレットＰＣであるものとする。
【００５７】
図３は、端末装置３の機能ブロック図である。端末装置３は、機能的には、タッチパネルなどの入力手段３１、通信手段３２、記憶手段３３、処理手段３４、表示手段３６、インターフェース３８を備える。通信手段３２は、アンテナ受信回路等により構成され、電子黒板５から入力情報を受信し、受信した情報を処理手段３４に伝送する。表示手段３６は、ディスプレイ等によって構成され、処理手段３４によって指示された内容を表示する。インターフェース３８は、プロジェクタ４と接続するためのインターフェースである。インターフェース３８は、処理手段３４の処理命令に基づき、表示手段３６に画像を表示するための画像信号をプロジェクタ４に送信し、表示手段３６の画像と同じ画像を同期して投影させる。
【００５８】
処理手段３４は、ＣＰＵ等のプロセッサによって構成され、端末装置３の全体の制御を行う。処理手段３４は、表示制御手段３４１と、再生順番設定手段３４２と、再生制御手段３４３とを備える。そして、処理手段３４は、表示手段３６のディスプレイに表示されたアイコン４１乃至６１がタッチパネル操作により選択されたことを検知した場合、選択されたアイコンに関連付けられた機能に応じて所定の処理を行う。
【００５９】
具体的には、タッチパネル操作により選択されたアイコンがアイコン４１乃至４４の場合、処理手段３４の表示制御手段３４１は、タッチパネル操作により選択されたアイコンに関連付けられた機能に従い、電子教科書２の所定の頁を見開き状態で表示手段３６に表示させる。
【００６０】
また、タッチパネル操作により選択されたアイコンがアイコン４５または４６の場合、表示制御手段３４１は、書込みモードを開始する。具体的には、表示制御手段３４１は、書込みモード時には、タッチパネルが検知した接触位置の位置座標に基づき、自由曲線又は直線のストロークを電子教科書２上に描画する。この場合、表示制御手段３４１は、コンテンツが再生中か否かに関わらず、ストロークを描画する。なお、書込みモードでは、表示制御手段３４１は、電子教科書２と表示中のコンテンツとを並べて表示してもよく、コンテンツが動画の場合には、当該コンテンツに対応する関連付けエリア内でコンテンツを表示してもよい。また、コンテンツが音声データの場合には、スピーカ（不図示）に音声を出力させつつ、表示制御手段３４１は、音声データを再生するソフトウェアの表示を非表示として、電子教科書２のみを表示してもよい。
【００６１】
タッチパネル操作により選択されたアイコンがアイコン４７乃至５３の場合、表示制御手段３４１は、タッチパネル操作により選択されたアイコンに関連付けられた機能に従い、所定の処理を実行する。また、再生制御手段３４３は、タッチパネル操作により選択されたアイコンがアイコン５４乃至５８の場合、タッチパネル操作により選択されたアイコンに関連付けられた機能に従い、再生対象の動画コンテンツの再生制御を行う。また、タッチパネル操作により選択されたアイコンがアイコン５９の場合、表示制御手段３４１は、関連付けられたコンテンツの種類に応じて、関連付けエリアを色分けして表示する。
【００６２】
タッチパネル操作により選択されたアイコンがアイコン６０の場合、処理手段３４は、再生順番設定モードを開始する。再生順番設定モードでは、処理手段３４の再生順番設定手段３４２は、同一の見開き頁にある関連付けエリアに関連付けられたコンテンツの再生順番を決定する。この処理については、［再生順番の設定］のセクションで具体的に説明する。タッチパネル操作により選択されたアイコンがアイコン６１の場合、再生制御手段３４３は、設定された再生順番に従い、次に再生すべき関連付けコンテンツを再生する。このとき、再生すべき関連付けコンテンツが関連付けられている頁が現在表示中の見開き頁と異なる場合、表示制御手段３４１は、再生すべき関連付けコンテンツが関連付けられている見開き頁を表示する。これらの処理については、［コンテンツ再生］のセクションで具体的に説明する。また、処理手段３４は、電子教科書２の関連付けエリアが選択された場合、後述する関連付けエリア情報を参照し、タッチパネル操作により選択された関連付けエリアに関連付けられたコンテンツを再生又は表示する。
【００６３】
また、処理手段３４は、キャリブレーション用マークを少なくとも２以上、表示手段３６に表示させることにより、プロジェクタ４に対し、電子黒板５にもキャリブレーション用マークを投影させ、キャリブレーション用マークが投影された位置に対応する入力情報を受信することで、電子黒板５にかかる座標系を表示手段３６のディスプレイにかかる座標系に変換するための座標変換関数を求める（キャリブレーション処理機能）。さらに、処理手段３４は、そのキャリブレーション処理により求められた座標変換関数を用いて、電子黒板５にかかる座標系のデータを受信したときに、表示手段３６のディスプレイにかかる座標系のデータに変換する。そして、処理手段３４は、変換後のディスプレイにかかる座標系のデータに基づき、電子黒板５に表示されたアイコン４１乃至６１が選択されたことを認識した場合、端末装置３のディスプレイに表示されたアイコン４１乃至６１が選択された場合と同様の処理を実行する。また、処理手段３４は、変換後のディスプレイにかかる座標系のデータに基づき、電子黒板５に表示された関連付けエリアが選択されたことを認識した場合、後述する関連付けエリア情報を参照し、選択された関連付けエリアに関連付けられたコンテンツを再生又は表示する。
【００６４】
記憶手段３３は、ＲＯＭやＲＡＭといったメモリによって構成される。記憶手段３３は、各教科書を電子化した電子教科書２を記憶する。さらに、記憶手段３３は、各関連付けエリアに関連付けられるコンテンツを記憶すると共に、各関連付けエリアに関連する情報（「関連付けエリア情報」とも呼ぶ。）を記憶する。図４は、関連付けエリア情報のデータ構造を示す。図４に示すように、関連付けエリア情報には、各関連付けエリアの識別番号を示す「エリア番号」の項目と、電子教科書２の識別情報を示す「教科書ＩＤ」の項目と、関連付けエリアの頁番号を示す「頁番号」の項目と、頁内における相対的な位置を示す「頁内位置」の項目と、関連付けコンテンツのパス及びファイル名を示す「関連付けコンテンツ」の項目と、同一の見開き頁内における関連付けコンテンツの再生順番を示す「再生順番」の項目とに対応する情報がそれぞれ関連付けられている。なお、ここでは、図２に示す電子教科書２の教科書ＩＤは「Ｒ０１」であるものとし、頁内位置は、角の位置座標（Ｘｎ，Ｙｎ）、高さ（Ｙ方向）、幅（Ｘ方向）で規定されている。また、「再生順番」の項目の値は、後述する［再生順番の設定］のセクションで述べる処理に基づき設定される。
【００６５】
なお、再生順番以外の関連付けエリア情報は、予め記憶手段３３に記憶されていてもよく、ユーザの入力に基づき処理手段３４が生成してもよい。後者の場合、例えば、処理手段３４は、電子教科書２を表示した状態で、関連付けエリアとする領域をタッチパネルへのドラッグ操作などによりユーザに指定させると共に、当該関連付けエリアに関連付けるコンテンツをファイル選択用のＧＵＩ（Ｇｒａｐｈｉｃａｌ  Ｕｓｅｒ  Ｉｎｔｅｒｆａｃｅ）などを表示することでユーザに指定させる。関連付けコンテンツは、講師が授業用に自らビデオカメラ等の撮影手段を用いて撮影を行った結果生成された映像データなどであってもよく、静止画像データであってもよく、ワークシートなどであってもよい。
【００６６】
［関連付けエリアの表示］
次に、アイコン５９が選択された場合の電子教科書２の表示について説明する。図５は、アイコン５９が選択される直前の第２２頁及び第２３頁の見開き頁を表示した端末装置３のディスプレイ画面を示す。
【００６７】
図５に示すように、アイコン５９が選択される直前では、図４の関連付けエリア情報に記憶された２２頁に存在するエリア番号Ｎ１の関連付けエリアと、２３頁に存在するエリア番号Ｎ２の関連付けエリアとがいずれも他のエリアと判別できない態様で、２２頁及び２３頁の見開き頁が表示されている。そして、ユーザは、関連付けコンテンツの再生順番を設定する場合などに、指先で端末装置３のディスプレイ画面におけるアイコン５９の表示部分をタッチする。
【００６８】
図６は、アイコン５９が選択された後の端末装置３のディスプレイ画面を示す。図６に示すように、アイコン５９が選択された場合、表示制御手段３４１は、対応する関連付けコンテンツの種類ごとに、各関連付けエリアを色分けして表示する。具体的には、拡張子が「ｐｄｆ」のＰＤＦファイル「ワークシート１．ｐｄｆ」と関連付けられたエリア番号Ｎ１の関連付けエリア「２１」は、青に着色された状態で表示されている。一方、拡張子が「ｍｐ４」の動画ファイル「断層○○町．ｍｐ４」と関連付けられた関連付けエリア「２２」は、赤に着色された状態で表示される。このようにすることで、ユーザは、各関連付けエリアの位置及び範囲並びに当該関連付けエリアに関連付けられているコンテンツの種類を容易に把握することができる。そして、アイコン５９が再びタッチされた場合、表示制御手段３６は、図６に示す表示から、図５に示す表示に再び切り替える。
【００６９】
同様に、アイコン５９が選択される直前の第２４頁及び第２５頁の見開き頁を表示する場合、表示制御手段３４１は、第２４頁に存在するエリア番号Ｎ３の関連付けエリアと、第２５頁に存在するエリア番号Ｎ４の関連付けエリアとがいずれも他のエリアと判別できない態様で表示する。そして、アイコン５９が選択された場合、表示制御手段３４１は、拡張子が「ｐｄｆ」のＰＤＦファイル「日本地図．ｐｄｆ」と関連付けられたエリア番号Ｎ３の関連付けエリアを、青に着色された状態で表示する。また、表示制御手段３４１は、拡張子が「ｍｐ４」の動画ファイル「プレート移動．ｍｐ４」と関連付けられた関連付けエリアを、赤に着色された状態で表示する。
【００７０】
なお、図５及び図６に示すディスプレイ画面の表示は、電子黒板５の投影範囲５０に投影される表示と同一であり、電子黒板５に投影表示されたアイコン５９が選択された場合も同様に、図５に示す表示と図６に示す表示とが切り替わる。
【００７１】
［再生順番の設定］
次に、頁めくりが必要な複数の頁にわたって複数の関連付けエリアが存在する場合の関連付けコンテンツの再生順番の設定方法について具体的に説明する。概略的には、再生順番設定手段３４２は、再生順番設定モード時において、端末装置３のディスプレイ上でタッチされた関連付けエリアの順番に基づき、関連付けコンテンツの再生順番を定める。
【００７２】
図７及び図８は、端末装置３のディスプレイ画面に表示された電子教科書２上での再生順番の設定に伴う操作する指先の位置変化を示す図である。まず、図７において、アイコン６０が指先８０によりタッチされる（第１ステップ）。この場合、処理手段３４は、タッチパネルから送信される検出信号に基づき、アイコン６０がタッチされたことを認識し、再生順番設定モードを開始する。以降は、ユーザの意思により、頁めくりが必要な複数の頁にわたって存在する複数の関連付けエリアを、関連付けられたコンテンツを再生したい順番でタッチする。
【００７３】
図７に示す例では、関連付けエリア２１が指先８０によりタッチされる（第２ステップ）。この場合、処理手段３４の再生順番設定手段３４２は、タッチパネルから送信される検出信号に基づき、関連付けエリア２１がタッチされたことを認識する。そして、再生順番設定手段３４２は、関連付けエリア２１に関連付けられたコンテンツの再生順番を１番に設定する。
【００７４】
その後、関連付けエリア２２が指先８０によりタッチされる（第３ステップ）。この場合、処理手段３４の再生順番設定手段３４２は、関連付けエリア２２がタッチパネル操作により選択されたことを認識する。そして、再生順番設定手段３４２は、関連付けエリア２２に関連付けられた関連付けコンテンツの再生順番を２番に設定する。
【００７５】
次に、アイコン４４が指先８０によりタッチされる（第４ステップ）。この場合、表示制御手段３４１は、図８に示すように、現在表示中の見開き頁の次の見開き頁である２４頁及び２５頁を表示手段３６に表示させる。その後、図８に示す例では、図４の関連付けエリア情報のエリア番号がＮ３に相当する関連付けエリア２３が指先８０によりタッチされる（第５ステップ）。この場合、再生順番設定手段３４２は、関連付けエリア２３がタッチパネル操作により選択されたことを認識し、関連付けエリア２３に関連付けられた関連付けコンテンツの再生順番を３番に設定する。さらに、図４の関連付けエリア情報のエリア番号がＮ４に相当する関連付けエリア２４が指先８０によりタッチされる（第６ステップ）。この場合、再生順番設定手段３４２は、関連付けエリア２４がタッチパネル操作により選択されたことを認識し、関連付けエリア２４に関連付けられた関連付けコンテンツの再生順番を４番に設定する。
【００７６】
次に、アイコン６０が指先８０により再びタッチされる（第７ステップ）。この場合、再生順番設定手段３４２は、タッチパネルにより検出した接触位置に基づき、アイコン６０がタッチされたことを認識し、再生順番設定モードを終了する。これにより、再生順番設定手段３４２は、関連付けエリア情報に登録された各関連付けコンテンツの再生順番を確定する。具体的には、再生順番設定手段３４２は、前述した図４に示すように、関連付けエリア２１に関連付けられたコンテンツである「ワークシート１．ｐｄｆ」の再生順番が１番である旨を関連付けエリア情報に記憶し、関連付けエリア２２に関連付けられたコンテンツである「断層○○町．ｍｐ４」の再生順番が２番である旨を関連付けエリア情報に記憶する。さらに、再生順番設定手段３４２は、関連付けエリア２３に関連付けられたコンテンツである「日本地図．ｐｄｆ」の再生順番が３番である旨を関連付けエリア情報に記憶し、関連付けエリア２４に関連付けられたコンテンツである「プレート移動．ｍｐ４」の再生順番が４番である旨を関連付けエリア情報に記憶する。
【００７７】
このように、再生順番設定手段３４２は、頁めくりが必要な複数の頁にわたって存在する関連付けコンテンツの再生順番を、ユーザに複雑な操作を要求することなく、ユーザの意図してタッチした順番に即して定めることができる。
【００７８】
なお、電子黒板５の投影範囲５０に投影表示された電子教科書２のアイコン６０が選択された場合も、同様に、再生順番設定手段３４２は、再生順番設定モードを開始する。そして、再生順番設定手段３４２は、再生順番設定モードでは、電子黒板５の投影範囲５０に投影表示された電子教科書２の関連付けエリアが選択された順番を記憶する。そして、再びアイコン６１が選択されて再生順番設定モードを終了する際に、再生順番設定手段３４２は、関連付けエリア情報に登録された各関連付けコンテンツの再生順番を、再生順番設定モードにおいて関連付けエリアが選択された順番に基づき決定し、図４に示す関連付けエリア情報に記憶する。
【００７９】
［再生順番設定後の表示］
次に、再生順番が設定された後の端末装置３のディスプレイ画面について図９を参照して説明する。図９は、再生順番が設定された関連付けエリアを含む見開き頁である２２頁及び２３頁が表示された端末装置３のディスプレイ画面を示す。
【００８０】
図９に示すように、表示制御手段３４１は、再生順番が設定された関連付けエリアを含む見開き頁を表示する場合、再生順番が定められた各関連付けエリア上に、対応する関連付けコンテンツの再生順番の番号を重畳表示する。図９に示す例は、再生順番が１番に設定された関連付けエリア２１には、「（１）」の表示が付され、再生順番が２番に設定された関連付けエリア２２には、「（２）」の表示が付されている。なお、表示制御手段３４１は、再生順番が設定された関連付けエリアを含む見開き頁である２４頁及び２５頁を表示する場合も、同様に、再生順番が定められた各関連付けエリア２３、２４上に、対応する関連付けコンテンツの再生順番の番号「（３）」、「（４）」をそれぞれ重畳表示する。
【００８１】
このように、表示制御手段３４１は、再生順番が設定された見開き頁を端末装置３のディスプレイに表示させる場合、設定された再生順番をユーザが視認できるように、設定された再生順番を示す表示を、対応する関連付けエリアに付す。これにより、ユーザは、設定した再生順番を、端末装置３のディスプレイ上又は電子黒板５上で容易に把握することができる。なお、表示制御手段３４１は、端末装置３のディスプレイ又は電子黒板５上に表示されたアイコン５９が選択された場合、色による強調表示と同様、再生順番の表示の有無を切り替えてもよい。
【００８２】
［コンテンツの再生］
次に、再生順番が設定されたコンテンツの再生方法について説明する。概略的には、再生制御手段３４３は、アイコン６１がタッチされる毎に、再生すべき再生順番にある関連コンテンツの再生を開始する。
【００８３】
図１０は、再生順番が設定された後、端末装置３のディスプレイに表示された見開き頁である第２２頁及び第２３頁上で操作が行われていることを示す図である。
【００８４】
図１０において、まず、アイコン６１が指先８０によりタッチされる。この場合、処理手段３４の再生制御手段３４３は、アイコン６１がタッチパネル操作により選択されたことを認識する。そして、この場合、再生制御手段３４３は、図４に示す関連付けエリア情報を参照し、再生順番が１番に設定された関連付けコンテンツを再生又は表示する。具体的には、再生制御手段３４３は、関連付けエリア２１に関連付けられた「ワークシート１．ｐｄｆ」をディスプレイ画面上に表示する。また、この場合、電子黒板５の投影範囲５０にも同様に、「ワークシート１．ｐｄｆ」が投影表示される。
【００８５】
図１１は、ファイル「ワークシート１．ｐｄｆ」の表示例を示す。図１１に示すように、ファイル「ワークシート１．ｐｄｆ」は、解答欄７０Ａ〜７０Ｆを有する。そして、電子黒板５に表示された「ワークシート１．ｐｄｆ」の解答欄７０Ａ〜７０Ｆへ生徒等が書込み用のペン（スタイラス）などにより書込みを行った場合、処理手段３４は、電子黒板５から送信された入力情報に含まれる座標情報を、座標変換関数に基づき表示手段３６の画面上での座標情報に変換し、当該座標情報に基づきストロークを表示手段３６に描画する。また、処理手段３４は、表示手段３６に画像を表示させるための画像信号をプロジェクタ４に送信し、表示手段３６の画像と同じ画像を同期して投影させる。これにより、電子黒板５にも同様に、記入者が描いたストロークが投影される。
【００８６】
再び図１０を参照して関連付けコンテンツの再生について説明する。ファイル「ワークシート１．ｐｄｆ」がディスプレイ上に表示された後、アイコン６１が指先８０により再びタッチされる。この場合、処理手段３４の再生制御手段３４３は、タッチパネルから送信される検出信号に基づき、アイコン６１がタッチされたことを認識する。そして、この場合、再生制御手段３４３は、図４に示す関連付けエリア情報を参照し、再生順番が２番に設定された関連付けコンテンツを再生又は表示する。具体的には、再生制御手段３４３は、関連付けエリア２２に関連付けられた動画コンテンツ「断層○○町．ｍｐ４」を再生する。また、この場合、電子黒板５の投影範囲５０にも同様に、動画コンテンツ「断層○○町．ｍｐ４」が投影表示される。なお、再生制御手段３４３は、動画コンテンツ「断層○○町．ｍｐ４」を再生する場合に、コンテンツ「ワークシート１．ｐｄｆ」を強制的に終了させてもよく、動画コンテンツ「断層○○町．ｍｐ４」の背面に表示位置を遷移させる処理のみを行ってもよい。
【００８７】
次に、アイコン６１が指先８０により再びタッチされた場合について説明する。この場合、処理手段３４の再生制御手段３４３は、アイコン６１がタッチされたことを認識し、図４に示す関連付けエリア情報を参照して、再生順番が３番に設定された関連付けコンテンツを再生又は表示する。具体的には、再生制御手段３４３は、電子教科書２の２４頁の関連付けエリア２３に関連付けられたＰＤＦファイル「日本地図．ｐｄｆ」を再生する。また、この場合、電子黒板５の投影範囲５０にも同様に、ＰＤＦファイル「日本地図．ｐｄｆ」が投影表示される。
【００８８】
この場合、さらに、表示制御手段３４１は、表示させる見開き頁を、表示中の見開き頁（２２、２３頁）から、関連付けコンテンツ「日本地図．ｐｄｆ」が関連付けられた見開き頁（２４、２５頁）に遷移させる。これについて、図１２を参照して説明する。
【００８９】
図１２は、再生順番が２番に設定された関連付けコンテンツの再生後、アイコン６１が指先８０により再びタッチされた直後の電子教科書２を表示したディスプレイ画面を示す。この場合、表示制御手段３４１は、まず、表示対象となる関連付けコンテンツ「日本地図．ｐｄｆ」に関連付けられた見開き頁（２４、２５頁）が現在表示中の見開き頁（２２、２３頁）と異なることを認識する。そして、表示制御手段３４１は、表示させる見開き頁を、現在表示中の見開き頁（２２、２３頁）から、表示対象の関連付けコンテンツ「日本地図．ｐｄｆ」の関連付けエリアが存在する見開き頁（２４、２５頁）へ遷移させる。
【００９０】
このとき、好適には、図１２に示すように、表示制御手段３４１は、頁がめくられる表示を行う。具体的には、表示制御手段３４１は、この場合、第２３頁の右下隅９０から徐々に第２３頁全体を浮き上がらせて第２２頁と重なる位置に移動させることで、頁がめくられる様子を臨場的に表示する。
【００９１】
このようにすることで、表示制御手段３４１は、表示させる見開き頁を、再生又は表示される関連付けコンテンツに対応する見開き頁に、ユーザが容易に認識できる態様で好適に遷移させることができる。従って、表示制御手段３４１は、生徒が、別の頁が説明されようとしていることを容易に認識させることができる。
【００９２】
次に、ＰＤＦファイル「日本地図．ｐｄｆ」がディスプレイ上に表示された後、アイコン６１が指先８０により再びタッチされた場合について説明する。この場合、処理手段３４の再生制御手段３４３は、タッチパネルから送信される検出信号に基づき、アイコン６１がタッチされたことを認識する。そして、この場合、再生制御手段３４３は、図４に示す関連付けエリア情報を参照し、再生順番が４番に設定された関連付けコンテンツを再生又は表示する。具体的には、再生制御手段３４３は、関連付けエリア２４に関連付けられた動画コンテンツ「プレート移動．ｍｐ４」を再生する。また、この場合、電子黒板５の投影範囲５０にも同様に、動画コンテンツ「プレート移動．ｍｐ４」が投影表示される。
【００９３】
このように、再生制御手段３４３は、ユーザである講師が予定していた授業の流れに沿って、授業中、再生順番に間違いを生じさせることなく、コンテンツを適切に再生することができる。
【００９４】
なお、電子黒板５の投影範囲５０に投影表示された電子教科書２のアイコン６１がタッチされた場合も、同様に、端末装置３は、設定された再生順番に従い関連付けコンテンツを再生する。具体的には、投影範囲５０内におけるアイコン６１の表示位置がスタイラスなどによりタッチされた場合、再生制御手段３４３は、電子黒板５から受信した入力情報の座標情報を座標変換関数により表示手段３６のディスプレイにかかる座標系に変換し、変換後の位置座標に基づき、アイコン６１が指定されたことを認識する。そして、この場合、再生制御手段３４３は、関連付けエリア情報を参照し、現在ディスプレイ上に表示中の見開き頁を対象に、再生すべき再生順番にある関連付けコンテンツを再生する。
【００９５】
［第１実施形態のコンテンツ再生システムによる作用効果］
第１実施形態のコンテンツ再生システムによれば、端末装置３は、コンテンツが関連付けられた電子教科書２の関連付けエリアに関する関連付けエリア情報を記憶する。そして、端末装置３は、ユーザのタッチパネル操作に基づき、関連付けエリアが複数設けられた電子教科書２の見開き頁において、関連付けエリアに関連付けられたコンテンツの再生又は表示の順番を設定する。これにより、授業などにおいて、ユーザは、再生すべきコンテンツの順番を間違えることなく想定した順番通りにコンテンツの再生又は表示を行うことができる。
【００９６】
また、電子教科書２の操作領域４０には、再生順番設定モードの開始及び終了を指定するためのアイコン６０が設けられ、端末装置３は、再生順番設定モード時に、選択された関連付けエリアの選択順に基づき、関連付けコンテンツの再生又は表示の順番を設定する。これにより、ユーザは、関連付けコンテンツの再生又は表示の順番を容易に定めることができる。
【００９７】
また、電子教科書２の操作領域４０には、設定された再生順番に基づきコンテンツを再生又は表示するためのアイコン６１が設けられ、端末装置３は、アイコン６１が選択されたことを検知する度に、再生又は表示すべき順番にあたるコンテンツの再生又は表示を行う。これにより、ユーザは、アイコン６１を選択する操作を行うだけで、順番を設定したコンテンツを、順番通りに端末装置３に再生又は表示させることができる。
【００９８】
さらに、端末装置３は、アイコン６１の選択により再生又は表示される関連付けコンテンツに対応する見開き頁が現在表示中の見開き頁と異なる場合、再生又は表示される関連付けコンテンツに対応する見開き頁を表示する。このとき、端末装置３は、頁がめくられる表示を行う。このようにすることで、端末装置３は、別の頁が説明されようとしていることを生徒に容易に認識させることができる。
［変形例］
次に、第１実施形態の変形例について説明する。以下の変形例は、任意に組み合わせて上述の第１実施形態に適用してもよい。
【００９９】
（変形例１）
端末装置３のディスプレイに表示されたアイコン４１乃至６１及び関連付けエリアを選択する操作は、指先８０によるタッチ操作に限定されず、スタイラスによるタッチ操作であってもよく、又は、端末装置３がマウスを有する場合には、マウスのクリック操作であってもよい。
【０１００】
（変形例２）
図８に示す関連付けエリア情報では、「関連付けコンテンツ」の項目には、関連付けコンテンツを特定するための情報として、当該関連付けコンテンツのパス及びファイル名が記憶されていた。これに代えて、「関連付けコンテンツ」の項目には、電子コンテンツを閲覧可能な動画サイトを開くためのＵＲＬ（Ｕｎｉｆｏｒｍ  Ｒｅｓｏｕｒｃｅ  Ｌｏｃａｔｏｒ）や、端末装置３とネットワークを介して通信可能なサーバ装置が記憶した映像等の再生を行うためのＵＲＬが記憶されていてもよい。
【０１０１】
この場合、再生制御手段３４３は、再生すべき再生順番にある関連付けコンテンツが関連付けエリア情報中でＵＲＬにより特定されていた場合には、当該ＵＲＬに基づき、所定のＷＥＢサイトを表示したり、サーバ装置と接続してストリーミング再生等を開始したりする。この場合、ＵＲＬに基づき表示されるＷＥＢサイト及び映像等は、本発明における「コンテンツ」の一例である。
【０１０２】
（変形例３）
図６に示す電子教科書２では、関連付けエリア２１、２２が色付きで強調表示されていた。これに代えて、又は、これに加えて、表示制御手段３４１は、関連付けエリア２１、２２と対応する位置に、関連付けられたコンテンツのファイル名又は／及び当該コンテンツを小さく表示した画像又は映像を表示させてもよい。例えば、表示制御手段３４１は、関連付けエリア２１、２２を同一の色で着色すると共に、これらのエリアと重なる位置又は近接する位置に関連付けコンテンツのファイル名を表示させる。
【０１０３】
これによっても、表示制御手段３４１は、各関連付けエリアに関連付けられたコンテンツの種類又はファイル名をユーザに認識させることができる。
【０１０４】
＜第２実施形態＞
図１３は、第２実施形態に係るコンテンツ再生システムの構成を示す。図１３に示すように、コンテンツ再生システムは、講師が使用する電子ペン１と、各頁の略全面にドットパターン（コード化パターン）が印刷された教科書（教材）２Ａと、電子ペン１から記入情報等を受信して処理する端末装置３Ａと、端末装置３Ａと接続され、そのディスプレイの表示画面と同じ画像をドットスクリーン５Ａに投影するプロジェクタ４と、ドットパターンが印刷されたドットスクリーン５Ａとを備える。そして、第２実施形態では、コンテンツ再生システムは、教科書２Ａ又はドットスクリーン５Ａへの電子ペン１による操作に基づき、各関連付けコンテンツの再生順番を設定し、設定された再生順番に従い各関連付けコンテンツを再生又は表示する。以後では、第１実施形態と同様の部分については、同一の符号を付し、適宜その説明を省略する。
【０１０５】
（教科書）
まず、教科書（電子ペン用図書）２Ａについて説明する。教科書２Ａの各見開き頁は、図２に示す電子教科書２と同様に、内容表示領域２０と、アイコン４１乃至６１が印刷された操作領域４０とを有する。そして、内容表示領域２０と、各アイコン４１乃至６１を含む領域には、後述する位置座標を示すドットパターン（コード化パターン）が印刷される。また、教科書２Ａの各頁には、それぞれ異なる座標範囲のドットパターンが印刷される。ドットパターンは、電子ペン１により読み取ることができるように赤外線を吸収するカーボンを含んだインクにより印刷され、その他の文字や図などは、赤外線を吸収しないインキにより印刷される。
【０１０６】
（ドットスクリーン）
ドットスクリーン５Ａは、白地の樹脂基板に、電子ペン１により読み取ることができるよう赤外線を吸収するカーボンを含んだインクによりドットパターン（コード化パターン）が印刷され、さらにドットパターンが例えば透明なＥＢ硬化樹脂層などで保護された層構成を有している。
【０１０７】
ドットスクリーン５Ａの投影範囲５０には、端末装置３Ａの画面と同じ画像を構成する光がプロジェクタ４により投影される。具体的には、投影範囲５０には、図２に示す教科書２Ａが電子化された電子教科書２が投影表示される。そして、ユーザがドットスクリーン５Ａに投影表示されたアイコン４１乃至６１を電子ペン１によりタップしてそのアイコンが投影された領域のドットパターンを読み取らせた場合、端末装置３Ａは、電子ペン１から記入情報を受信して、タップしたアイコンに割当てられた機能に応じて、表示される電子教科書２の頁を変更したり、電子ペン１による書込みモードを開始したりする。
【０１０８】
（ドットパターン）
続いて、教科書２Ａの各頁やドットスクリーン５Ａに印刷されたアノト方式のドットパターン（コード化パターン）について図１４及び図１５を用いて説明する。図１４は、ドットパターンのドットとそのドットが変換される値との関係を説明する図である。図１４に示すように、ドットパターンの各ドットは、その位置によって所定の値に対応付けられている。すなわち、ドットの位置を仮想格子の基準位置（縦線及び横線の交差点）から上下左右のどの方向にシフトするかによって、各ドットは、０〜３の値に対応付けられている。また、各ドットの値は、さらに、Ｘ座標用の第１ビット値及びＹ座標用の第２ビット値に変換できる。このようにして対応付けられた情報の組合せにより、教科書２Ａの各頁やドットスクリーン５Ａ上の位置座標が決定されるよう構成されている。なお、教科書２Ａの頁同士又は教科書２Ａの各頁とドットスクリーン５Ａとでは座標領域が重ならないようドットパターンが形成される。
【０１０９】
図１５（ａ）は、あるドットパターンの配列を示している。図１５（ａ）に示すように、縦横約２ｍｍの範囲内に６×６個のドットが、教科書２Ａの各頁やドットスクリーン５Ａ上のどの部分から６×６ドットを取ってもユニークなパターンとなるように配置されている。これら３６個のドットにより形成されるドットパターンは位置座標（例えば、そのドットパターンが教科書２Ａの各頁やドットスクリーン５Ａ上のどの位置にあるのか）を保持している。図１５（ｂ）は、図１５（ａ）に示す各ドットを、格子の基準位置からのシフト方向によって、図１４に示す規則性に基づいて対応づけられた値に変換したものである。この変換は、ドットパターンの画像を撮影する電子ペン１によって行われる。
【０１１０】
（電子ペン）
次に、電子ペン１について図１６を用いて説明する。図１６は、電子ペン１の構造を示す概略図である。図１６に示すように、電子ペン１は、その筐体１０１の内部に、インクカートリッジ１０４、ＬＥＤ１０５、ＣＭＯＳカメラ１０６、圧力センサ１０７、ＣＰＵ等により構成されるプロセッサ１０８、ＲＯＭやＲＡＭといったメモリ１０９、リアルタイムクロック１１０、アンテナ等により構成される通信ユニット１１１及びバッテリー１１２を備える。インクカートリッジ１０４の先端は、ペン先部１０３となっており、ユーザは、電子ペン１のペン先部１０３を教科書２Ａの各頁やドットスクリーン５Ａ上に当接させて、ストローク（手書きストローク）を記入する。ここで、電子ペン１のペン先部１０３が教科書２Ａの各頁等に最初に接触することを「ペンダウン」と呼び、接触している（当接している）状態からペン先部１０３が離れることを「ペンアップ」と呼ぶ。電子ペン１のペンダウンからペンアップまでの間に記入される軌跡が１つのストロークとなり、文字や図形等は、１つ又は複数個のストロークからなる。
【０１１１】
バッテリー１１２は電子ペン１内の各部品に電力を供給するためのものであり、例えば電子ペン１のキャップ（図示せず）の脱着により電子ペン１自体の電源のオン／オフを行うよう構成させてもよい。リアルタイムクロック１１０は、現在時刻（タイムスタンプ）を示す時刻情報を発信し、プロセッサ１０８に供給する。圧力センサ１０７は、ユーザが電子ペン１により教科書２Ａの各頁等に文字やマークを書いたりタップしたりする際にペン先部１０３からインクカートリッジ１０４を通じて与えられる圧力、即ち筆圧を検出し、その値をプロセッサ１０８へ伝送する。
【０１１２】
プロセッサ１０８は、圧力センサ１０７から与えられる筆圧データに基づいて、ＬＥＤ１０５及びＣＭＯＳカメラ１０６のスイッチのオン／オフを切替える。即ち、ユーザが電子ペン１で教科書２Ａの各頁等に文字などを書くと、ペン先部１０３に筆圧がかかり、圧力センサ１０７によって所定値以上の筆圧が検出されたときに、プロセッサ１０８は、ユーザが記入を開始したと判定して、ＬＥＤ１０５及びＣＭＯＳカメラ１０６を作動させる。そして、通信ユニット１１１が、圧力センサ１０７により検出されたペンダウン情報（以後、「ペンダウン情報ＰＤ」と呼ぶ。）と、後述する電子ペン１の識別情報（以後、「ペンＩＤ」と呼ぶ。）とを関連付けて、記入情報として端末装置３Ａへ送信する。また、ユーザが１つのストロークを記入し終えて電子ペン１を教科書２Ａの各頁から離すと、圧力センサ１０７は、所定値以上の筆圧が検出されなくなることでペンアップを検出する。すると、通信ユニット１１１が、圧力センサ１０７により検出されたペンアップ情報（以後、「ペンアップ情報ＰＵ」と呼ぶ。）とペンＩＤとを関連付けて、記入情報として端末装置３Ａへ送信する。
【０１１３】
ＬＥＤ１０５とＣＭＯＳカメラ１０６は、電子ペン１のペン先部１０３付近に取り付けられており、筐体１０１におけるＬＥＤ１０５及びＣＭＯＳカメラ１０６と対向する部分には、開口部１０２が形成されている。ＬＥＤ１０５は、教科書２Ａの各頁上のペン先部１０３近傍に向けて赤外線を照明する。その領域は、ペン先部１０３が教科書２Ａの各頁に接触する位置とはわずかにずれている。ＣＭＯＳカメラ１０６には、赤外線を透過し赤外線以外を遮断する赤外線透過フィルタが設けられており、ＣＭＯＳカメラ１０６は、ＬＥＤ１０５によって照明された領域内におけるドットパターンを撮影し、そのドットパターンの画像データをプロセッサ１０８に供給する。ここで、カーボンは赤外線を吸収するため、ＬＥＤ１０５によって照射された赤外線は、ドットに含まれるカーボンによって吸収される。そのため、ドットの部分は、赤外線の反射量が少なく、ドット以外の部分は赤外線の反射量が多い。ＣＭＯＳカメラ１０６の撮影により、赤外線の反射量の違いから閾値を設けることによって、カーボンを含むドットの領域とそれ以外の領域を区別することができる。したがって、教科書２Ａの各頁に文字や図面などが印刷されていた場合でも、印刷したインクは赤外域に吸収性を持たないため、プロセッサ１０８は、ドットパターンを認識することができる。なお、ＣＭＯＳカメラ１０６による撮影領域は、図１５（ａ）に示すような約２ｍｍ×約２ｍｍの大きさを含む範囲であり、ＣＭＯＳカメラ１０６の撮影は毎秒５０〜１００回程度の定間隔で行われる。また、ＣＭＯＳカメラ１０６は、ドットを鮮明に撮影するため、十分な被写界深度を有している。
【０１１４】
プロセッサ１０８は、ユーザの記入が行われる間、ＣＭＯＳカメラ１０６によって供給される画像データのドットパターンから、ユーザが記入するストローク（筆跡）の教科書２Ａの各頁等におけるＸ、Ｙ座標（以後、単に「座標データ」または「座標情報」とも呼ぶ。）を連続的に演算していく。すなわち、プロセッサ１０８は、ＣＭＯＳカメラ１０６によって供給される、図１５（ａ）に示されるようなドットパターンの画像データを図１５（ｂ）に示すデータ配列に変換し、さらに、Ｘ座標ビット値・Ｙ座標ビット値に変換して、そのデータ配列から所定の演算方法によりＸ、Ｙ座標データを演算する。なお、プロセッサ１０８は、ドットパターンに対向する電子ペン１の角度に起因するドットの画像上の配列を補正する回転補正処理機能を備えており、座標演算の際にその機能が実行される。そして、プロセッサ１０８は、リアルタイムクロック１１０から発信される現在時刻（タイムスタンプ：記入された時刻情報）、筆圧データ及びＸ、Ｙ座標データを関連付ける。以後、これらの関連付けたデータを、まとめて「座標属性情報」と呼ぶ。なお、教科書２Ａの各頁やドットスクリーン５Ａにおける６×６のドットパターンは、教科書２Ａの各頁及びドットスクリーン５Ａ内で重複することはないため、ユーザが電子ペン１で文字等を記入すると、記入された位置が教科書２Ａの各頁又はドットスクリーン５Ａのどの位置に当たるかを、プロセッサ１０８による座標演算により特定することができる。
【０１１５】
メモリ１０９には、電子ペン１を識別するための「ｐｅｎ０１」といったペンＩＤ、ペン製造者番号、ペンソフトウェアのバージョン等のプロパティ情報が記憶されている。そして、通信ユニット１１１は、ペンＩＤと、時刻情報（タイムスタンプ）と、筆圧データと、Ｘ、Ｙ座標データとを関連付けて、記入情報として端末装置３Ａへ送信する。この場合の通信ユニット１１１による端末装置３Ａへの送信は、Ｂｌｕｅｔｏｏｔｈ（登録商標）などの無線送信によって、即時的かつ逐次的に行われる。ここで、電子ペン１のペンダウンからペンアップまでの間に生成されて端末装置３Ａに送信された１個又は複数個の座標属性情報は、端末装置３Ａによりストローク情報として記憶される。換言すると、１つのストロークは、１個又は複数個のＸ、Ｙ座標（座標点）からなり、端末装置３Ａは、ペンダウン情報ＰＤ及びペンアップ情報ＰＵによって、１つのストロークを構成する１個又は複数個の座標属性情報を認識する。
【０１１６】
なお、電子ペン１は、インクカートリッジ１０４に代えて、インキが充填されていないペン部を備えてもよい。この場合、ペン先部１０３からインキが出力されない。また、教科書２Ａとドットスクリーン５Ａとのそれぞれに対して電子ペン１が用意される場合には、教科書２Ａに対してはインクカートリッジ１０４を有する電子ペン１が用意され、ドットスクリーン５Ａに対してはペン部を有する電子ペン１が用意されてもよい。
【０１１７】
（端末装置）
端末装置３Ａは、例えばマウスやキーボードなどによる入力が可能なＰＣ（パーソナルコンピュータ）などであり、第１実施形態の端末装置３と同様のハードウェア構成及び機能構成を有する。そして、端末装置３Ａの処理手段３４は、教科書２Ａに印刷されたアイコン４１乃至６１、又はドットスクリーン５Ａに投影表示されたアイコン４１乃至６１が電子ペン１によりタップされてドットパターンが読み取られた場合、電子ペン１により生成され送信されてきた記入情報に基づき、後述する座標定義情報を参照し、タップされたアイコンを認識する。そして、端末装置３Ａの処理手段３４は、タップされたアイコンに関連付けられた機能に応じて所定の処理を行う。
【０１１８】
例えば、タッチパネル操作により選択されたアイコンがアイコン６０の場合、再生順番設定手段３４２は、第１実施形態の［再生順番の設定］のセクションで述べたように、同一の見開き頁にある関連付けエリアに関連付けられたコンテンツの再生順番を決定する。また、タッチパネル操作により選択されたアイコンがアイコン６１の場合、再生制御手段３４３は、第１実施形態の［コンテンツの再生］のセクションで述べたように、設定された再生順番に従い、次に再生すべき関連付けコンテンツを再生する。このとき、再生又は表示すべき関連付けコンテンツに対応する見開き頁が現在表示中の見開き頁と異なる場合、表示制御手段３４１は、再生又は表示すべき関連付けコンテンツが関連付けられている見開き頁を表示する。
【０１１９】
なお、端末装置３Ａの処理手段３４は、第１実施形態と同様に、キャリブレーション処理を行い、ドットスクリーン５Ａのドットパターンにかかる座標系を表示手段３６のディスプレイにかかる座標系に変換するための座標変換関数を求める。さらに、処理手段３４は、そのキャリブレーション処理により求められた座標変換関数を用いて、ドットスクリーン５Ａのドットパターンにかかる座標系のデータを受信したときに、表示手段３６のディスプレイにかかる座標系のデータに変換する。
【０１２０】
端末装置３Ａの記憶手段３３は、電子ペン１から受信した記入情報をペンＩＤ毎に記憶する。また、記憶手段３３は、教科書２Ａの種類ごとに当該教科書２Ａの各頁の内容表示領域２０及びアイコン４１乃至６１に対応するドットパターンが示す座標範囲、及びドットスクリーン５Ａに対応するドットパターンが示す座標範囲の情報（「座標定義情報」とも呼ぶ。）を記憶する。その他、端末装置３と同様、記憶手段３３は、図４に示す関連付けエリア情報を記憶する。
【０１２１】
［第２実施形態のコンテンツ再生システムによる作用効果］
第２実施形態のコンテンツ再生システムによれば、端末装置３は、教科書２Ａ又はドットスクリーン５Ａへの電子ペン１による記入情報に基づき、関連付けコンテンツの再生順番を決定し、当該再生順番に従い関連付けコンテンツを再生又は表示させることができる。その他、第２実施形態のコンテンツ再生システムは、第１実施形態と同様の機能を実現することができる。
【０１２２】
［変形例］
次に、第２実施形態の変形例について説明する。第２実施形態では、上述した第１実施形態の変形例１乃至変形例３に加え、以下の変形例４〜６を適用してもよい。
【０１２３】
（変形例４）
図２等の説明では、教科書２の各見開き頁には、異なる座標範囲を示すドットパターンが印刷された操作領域４０が設けられていた。しかし、本発明が適用可能な構成は、これに限定されない。
【０１２４】
これに代えて、例えば、教科書２の操作領域４０には、各見開き頁で共通の座標範囲を示すドットパターンが印刷されてもよい。そして、処理手段３４は、任意のアイコン４１乃至６１が電子ペン１によりタップされた場合、記入情報に基づき、いずれのアイコンが指定されたか認識し、端末装置３のディスプレイ画面に表示中の電子教科書２Ａの見開き頁を対象に、選択されたアイコンに割当てられた機能に基づく処理を行う。
【０１２５】
他の例では、操作領域４０は、教科書２とは別体となって構成されていてもよい。図１７は、教科書２の操作領域４０に相当する操作用紙８の上面図を示す。操作用紙８の略前面には、ドットパターンが印刷されている。そして、処理手段３４は、操作用紙８の任意のアイコン４１乃至６１が電子ペン１によりタップされた場合、記入情報に基づき、いずれのアイコンが指定されたか認識し、ディスプレイ画面に表示中の電子教科書２Ａの見開き頁を対象に、指定されたアイコンに割当てられた機能に基づく処理を行う。
【０１２６】
（変形例５）
教科書２の作成時点において、関連付けエリアの位置及び範囲が既に定まっている場合、教科書２の関連付けエリアは、電子教科書２Ａの関連付けエリアと同様に着色がなされていてもよい。
【０１２７】
図１８は、変形例に係る教科書２の上面図を示す。図１８では、教科書２の関連付けエリア２１は、青により着色された印刷がなされ、関連付けエリア２２は、赤により着色された印刷がなされている。このように、教科書２の関連付けエリアが関連付けコンテンツの種類ごとに色分けされることで、ユーザは、再生順番設定モードにおいて、各関連付けエリアを電子ペン１でタップする操作が容易となり、利便性が向上する。
【０１２８】
（変形例６）
第２実施形態において、電子ペン、ドットパターン（コード化パターン）、記入情報に、アノト方式を用いたが、アノト方式に限られなくともよい。また、ドットパターン（コード化パターン）も、位置座標を示すものに限られず、アイコンを識別するためのコード値や、関連付けエリアを識別するためのコード値を示すものであってもよい。
【０１２９】
＜第３実施形態＞
第３実施形態では、コンテンツ再生システムは、第１実施形態の処理に加え、関連付けエリアに関連付けられた各関連付けコンテンツの再生時間帯を設定する。以後では、第１実施形態と同様の部分については、同一の符号を付し、適宜その説明を省略する。
【０１３０】
［電子教科書］
図１９は、第３実施形態において、第２２、２３頁が見開き状態で表示された電子教科書２の上面図を示す。図１９に示すように、第３実施形態に係る電子教科書２の操作領域４０は、時間設定用アイコン６２をさらに有する点で、図２に示す第１実施形態に係る操作領域４０と異なる。
【０１３１】
時間設定用アイコン６２は、同一の見開き頁にある関連付けエリアに関連付けられたコンテンツを再生又は表示する予定時間帯（予定時刻）を設定する入力欄を有する電子教科書２の画面（「再生時間帯設定画面」とも呼ぶ。）をディスプレイ上に表示させるための操作領域である。再生時間帯設定画面については、［再生時間帯の設定］のセクションで詳しく説明する。
【０１３２】
［端末装置］
図２０は、第３実施形態に係る端末装置３の機能ブロック図である。図２０に示すように、第３実施形態に係る端末装置３の処理手段３４は、表示制御手段３４１Ｂと、再生設定手段３４２Ｂと、再生制御手段３４３Ｂとを備える。そして、処理手段３４は、表示手段３６のディスプレイに表示されたアイコン４１乃至６２がタッチパネル操作により選択されたことを検知した場合、選択されたアイコンに関連付けられた機能に応じて所定の処理を行う。
【０１３３】
具体的には、タッチパネル操作により選択されたアイコンがアイコン４１乃至６１の場合、処理手段３４は、第１実施形態と同様の処理を行う。例えば、タッチパネル操作により選択されたアイコンがアイコン６１の場合、再生制御手段３４３Ｂは、設定された再生順番に従い、次に再生すべき関連付けコンテンツを再生する。このとき、再生すべき関連付けコンテンツに対応する見開き頁が現在表示中の見開き頁と異なる場合、表示制御手段３４１Ｂは、第１実施形態と同様、現在表示中の見開き頁から、再生すべき関連付けコンテンツに対応する見開き頁へ、頁がめくられる態様により表示を遷移させる。また、タッチパネル操作により選択されたアイコンが時間設定用アイコン６２の場合、表示制御手段３４１Ｂは、再生時間帯設定画面をディスプレイ上に表示する。そして、再生設定手段３４２Ｂは、再生時間帯設定画面での入力に基づき、再生順番が定められた各コンテンツの再生又は表示の予定時間帯（単に「再生時間帯」とも呼ぶ。）を設定する。この処理については、［再生時間帯の設定］のセクションで具体的に説明する。
【０１３４】
次に、第３実施形態において記憶手段３３が記憶する関連付けエリア情報について、図２１を参照して説明する。図２１は、関連付けエリア情報のデータ構造を示す。図２１に示すように、第３実施形態に係る関連付けエリア情報には、エリア番号、教科書ＩＤ、頁番号、頁内位置、関連付けコンテンツ、及び再生順番の各項目に対応する情報に加えて、関連付けコンテンツの再生又は表示の開始予定時刻を示す「再生開始時刻」の項目と、関連付けコンテンツの再生又は表示の終了予定時刻を示す「再生終了時刻」の項目とに対応する情報がそれぞれ関連付けられている。「再生開始時刻」の項目及び「再生終了時刻」の項目の各値は、後述する［再生時間帯の設定］のセクションで述べる処理に基づき設定される。
【０１３５】
［再生時間帯の設定］
次に、再生順番が設定された各関連付けコンテンツの再生時間帯の設定方法について具体的に説明する。以下に述べるように、表示制御手段３４１Ｂは、再生時間帯設定画面をディスプレイ上に表示し、再生設定手段３４２Ｂは、再生時間帯設定画面での入力に基づき、再生順番が設定された各関連付けコンテンツの再生時間帯を設定する。
【０１３６】
図２２は、時間設定用アイコン６２が選択された際に表示される再生時間帯設定画面を示す。図２２に示すように、表示制御手段３４１Ｂは、再生時間帯設定画面の操作領域４０において、アイコン４３、４４と、再生順番が設定された関連付けコンテンツの再生時間帯を入力するための再生時間帯入力欄６３Ａ〜６３Ｄ（６３）と、再生時間帯入力欄６３の入力内容を確定するための完了ボタン６５とを表示する。
【０１３７】
再生時間帯入力欄６３Ａは、再生順番が１番に設定されたファイル「ワークシート１．ｐｄｆ」の再生時間帯を入力するための入力欄であり、再生時間帯入力欄６３Ｂは、再生順番が２番に設定された動画コンテンツ「断層○○町．ｍｐ４」の再生時間帯を入力するための入力欄である。また、再生時間帯入力欄６３Ｃは、再生順番が３番に設定されたファイル「日本地図．ｐｄｆ」の再生時間帯を入力するための入力欄であり、再生時間帯入力欄６３Ｄは、再生順番が４番に設定された動画コンテンツ「プレート移動．ｍｐ４」の再生時間帯を入力するための入力欄である。そして、表示制御手段３４１Ｂは、再生時間帯入力欄６３Ａには、再生順番が１番の関連付けコンテンツの再生時間帯を入力する欄であることが視認できるように、関連付けエリア２１と同様に「（１）」の表示を付す。また、表示制御手段３４１Ｂは、再生時間帯入力欄６３Ｂには、再生順番が２番の関連付けコンテンツの再生時間帯を入力する欄であることが視認できるように、関連付けエリア２２と同様に「（２）」の表示を付す。また、表示制御手段３４１Ｂは、再生順番が３番の関連付けコンテンツの再生時間帯を入力する欄であることが視認できるように、再生時間帯入力欄６３Ｃには「（３）」の表示を付す。同様に、表示制御手段３４１Ｂは、再生順番が４番の関連付けコンテンツの再生時間帯を入力する欄であることが視認できるように、再生時間帯入力欄６３Ｄには「（４）」の表示を付す。
【０１３８】
このように、表示制御手段３４１Ｂは、再生時間帯入力欄６３を、再生順番が設定された各関連付けコンテンツに対応付けてそれぞれ表示する。そして、任意の再生時間帯入力欄６３が選択された場合、再生設定手段３４２Ｂは、例えば数字を入力するためのキーボードなどのＧＵＩを表示し、再生開始時刻及び再生終了時刻をユーザにタッチパネル操作によりそれぞれ入力させる。また、表示制御手段３４１Ｂは、表示する見開き頁を変更するためのアイコン４３、４４を表示することで、ユーザが所望する任意の見開き頁を内容表示領域２０上に表示させる。
【０１３９】
図２３は、完了ボタン６５が選択される直前の再生時間帯設定画面を示す。なお、図２３では、アイコン４４が一度選択されたことにより、表示制御手段３４１Ｂは、表示する見開き頁を、第２２頁及び第２３頁の見開き頁から第２４頁及び第２５頁の見開き頁に変更している。
【０１４０】
完了ボタン６５が指先８０によりタッチされた場合、再生設定手段３４２Ｂは、再生時間帯入力欄６３Ａ〜６３Ｄに入力された各関連付けコンテンツの再生開始時刻及び再生終了時刻を関連付けエリア情報として記憶手段３３に記憶させる。具体的には、再生設定手段３４２Ｂは、図２１及び図２３に示すように、再生順番が１番のファイル「ワークシート１．ｐｄｆ」の再生開始時刻を「１４時２０分」、再生終了時刻を「１４時２５分」にそれぞれ設定し、再生順番が２番の動画コンテンツ「断層○○町．ｍｐ４」の再生開始時刻を「１４時４０分」、再生終了時刻を「１４時５０分」にそれぞれ設定する。同様に、再生設定手段３４２Ｂは、再生順番が３番のファイル「日本地図．ｐｄｆ」の再生開始時刻を「１５時」、再生終了時刻を「１５時１０分」にそれぞれ設定し、再生順番が４番目の動画コンテンツ「プレート移動．ｍｐ４」の再生開始時刻を「１５時２０分」、再生終了時刻を「１５時２５分」にそれぞれ設定する。そして、再生設定手段３４２Ｂは、ディスプレイの画面を、再生時間帯設定画面から図１９に示すアイコン４１乃至６２が表示された電子教科書２の画面に切り替える。
【０１４１】
なお、電子黒板５の投影範囲５０に投影表示された電子教科書２の再生時間帯入力欄６３が選択された場合も、同様に、端末装置３は、例えば数字を入力するためのキーボードなどのＧＵＩを電子黒板５上に投影表示させることで、再生開始時刻及び再生終了時刻をユーザに入力させる。この場合、再生制御手段３４３Ｂは、電子黒板５から受信した入力情報の座標情報を座標変換関数により表示手段３６のディスプレイにかかる座標系に変換し、変換後の位置座標に基づき、再生時間帯入力欄６３が指定されたこと等を認識する。
【０１４２】
［コンテンツの再生］
次に、第３実施形態において、再生順番が設定されたコンテンツの再生方法について説明する。再生制御手段３４３Ｂは、再生順番及び再生時間帯が設定された後、設定された各関連付けコンテンツの再生時間帯を表示した画面（「再生時刻管理画面」とも呼ぶ。）をディスプレイに表示する。そして、再生制御手段３４３Ｂは、再生用アイコン６１がタッチされる毎に、再生すべき再生順番にある関連付けコンテンツの再生を開始する。
【０１４３】
（１）再生時刻管理画面
図２４は、再生順番及び再生時間帯が設定された後に表示される再生時刻管理画面を示す。
【０１４４】
図２４に示すように、再生順番及び再生時間帯が設定された場合、電子教科書２の操作領域４０の下側には、再生バー９０が表示される。
【０１４５】
表示制御手段３４１Ｂは、再生バー９０により、所定の時間帯を棒状に示している。ここで、表示制御手段３４１Ｂは、上述の所定の時間帯を、例えば電子教科書２を表示させた時刻から所定時間（例えば授業の１時間分）後の時刻までの時間帯に設定してもよく、ユーザが予め設定した時間帯（例えば、授業開始時刻から授業終了時刻までの時間帯）に設定してもよい。
【０１４６】
また、表示制御手段３４１Ｂは、再生バー９０に、再生バー９０における現在時刻の位置を指し示す現在時刻ポインタ９１と、再生バー９０における各再生時間帯の範囲を示す再生時間帯表示９２Ａ〜９２Ｄ（９２）とをそれぞれ表示する。
【０１４７】
表示制御手段３４１Ｂは、再生時間帯表示９２Ａ〜９２Ｄを、再生時間帯設定画面において設定された各関連付けコンテンツの再生時間帯の範囲を示すように、再生バー９０上に表示する。具体的には、表示制御手段３４１Ｂは、再生時間帯表示９２Ａを、再生順番が１番に設定されたコンテンツ「ワークシート１．ｐｄｆ」に対して設定された再生開始時刻「１４時２０分」から再生終了時刻「１４時２５分」までの再生時間帯を示すように表示する。また、表示制御手段３４１Ｂは、再生時間帯表示９２Ｂを、再生順番が２番に設定された動画コンテンツ「断層○○町．ｍｐ４」に対して設定された再生開始時刻「１４時４０分」から再生終了時刻「１４時５０分」までの再生時間帯を示すように表示する。さらに、表示制御手段３４１Ｂは、再生順番が３番に設定されたコンテンツ「日本地図．ｐｄｆ」に対して設定された再生開始時刻「１５時」から再生終了時刻「１５時１０分」までの再生時間帯を示すように表示する。同様に、表示制御手段３４１Ｂは、再生順番が４番に設定された動画コンテンツ「プレート移動．ｍｐ４」に対して設定された再生開始時刻「１５時２０分」から再生終了時刻「１５時２５分」までの再生時間帯を示すように表示する。
【０１４８】
そして、表示制御手段３４１Ｂは、各再生時間帯表示９２Ａ〜９２Ｄを、対応する関連付けエリアと同じ色により着色して表示する。具体的には、表示制御手段３４１Ｂは、再生時間帯表示９２Ａ、９２Ｄを、それぞれ対応する関連付けエリア２１、２４に付された色と同じ青に着色して表示し、再生時間帯表示９２Ｂ、９２Ｃを、それぞれ対応する関連付けエリア２２、２３に付された色と同じ赤に着色して表示する。さらに、表示制御手段３４１Ｂは、再生時間帯表示９２Ａの下方に、関連付けエリア２１に付された「（１）」の表示を付し、再生時間帯表示９２Ｂの下方に、関連付けエリア２２に付された「（２）」の表示を付す。同様に、表示制御手段３４１Ｂは、再生時間帯表示９２Ｃの下方に、関連付けエリア２３に付された「（３）」の表示を付し、再生時間帯表示９２Ｄの下方に、関連付けエリア２４に付された「（４）」の表示を付す。これにより、ユーザは、各関連付けエリア２１〜２４と、再生バー９０上の各再生時間帯表示９２Ａ〜９２Ｄとの対応関係を明確に視認することができる。
【０１４９】
また、いずれかの再生時間帯表示９２がタッチパネル操作により選択された場合、再生制御手段３４３Ｂは、対応する関連付けコンテンツを再生又は表示する。
【０１５０】
なお、表示制御手段３４１Ｂは、現在時刻と各再生時間帯表示９２Ａ〜９２Ｄが示す再生時間帯との時間差に応じて各再生時間帯表示９２Ａ〜９２Ｄの表示態様を変化させる。これについては、次の「（２）再生バーの表示変化」のセクションで詳しく説明する。
【０１５１】
（２）再生バーの表示変化
次に、時間経過に伴う再生バー９０の表示変化について説明する。
【０１５２】
まず、関連付けコンテンツに設定した各再生開始時間の所定時間前（例えば５分前）になった場合、表示制御手段３４１Ｂは、再生バー９０上の再生時間帯表示を点滅させることにより強調表示する。上述の所定時間は、ユーザが予め設定してもよい。これにより、表示制御手段３４１Ｂは、設定された再生開始時刻に近づいた関連付けコンテンツの存在をユーザに積極的に知らせる。
【０１５３】
図２４に示す例では、再生順番が１番に設定された関連付けコンテンツ「ワークシート１．ｐｄｆ」に設定した再生開始時間「１４時２０分」の所定時間前になった場合、表示制御手段３４１Ｂは、再生時間帯表示９２Ａを点滅させる。同様に、再生順番が２番に設定された関連付けコンテンツ「断層○○町．ｍｐ４」に設定した再生開始時間「１４時４０分」の所定時間前になった場合、表示制御手段３４１Ｂは、再生時間帯表示９２Ｂを点滅させる。そして、再生順番が３番に設定された関連付けコンテンツ「日本地図．ｐｄｆ」に設定した再生開始時間「１５時」の所定時間前になった場合、表示制御手段３４１Ｂは、再生時間帯表示９２Ｃを点滅させる。また、再生順番が４番に設定された関連付けコンテンツ「プレート移動．ｍｐ４」に設定した再生開始時間「１５時２０分」の所定時間前になった場合、表示制御手段３４１Ｂは、再生時間帯表示９２Ｄを点滅させる。
【０１５４】
また、関連付けコンテンツに設定した再生開始時間になっても、当該関連付けコンテンツを再生又は表示させる旨の操作を検知しない場合、表示制御手段３４１Ｂは、当該操作を検知するまで、再生時間帯表示９２を点滅させることで強調表示する。ここで、関連付けコンテンツを再生又は表示させる旨の操作とは、再生用アイコン６１を選択する操作、対象となる関連付けコンテンツに対応する関連付けエリア２１又は再生時間帯表示９２を選択する操作を指す。これにより、表示制御手段３４１Ｂは、設定された再生開始時刻が経過した未再生又は未表示の関連付けコンテンツの存在をユーザに積極的に知らせる。
【０１５５】
図２４に示す例では、まず、関連付けコンテンツ「ワークシート１．ｐｄｆ」に設定した再生開始時間「１４時２０分」を経過しても当該関連付けコンテンツを表示させる操作が行われない場合、表示制御手段３４１Ｂは、再生時間帯表示９２Ａの表示を点滅させる。
【０１５６】
このとき、好適には、表示制御手段３４１Ｂは、再生開始時間前の再生時間帯表示９２Ａの点滅と異なる態様により再生時間帯表示９２Ａを点滅させるとよい。例えば、この場合、表示制御手段３４１Ｂは、再生開始時間前の再生時間帯表示９２の点滅時と色又は輝度若しくは点滅間隔を変えて再生時間帯表示９２Ａを点滅させる。そして、再生用アイコン６１、関連付けエリア２１または再生時間帯表示９２Ａのいずれかが選択されることにより、関連付けコンテンツ「ワークシート１．ｐｄｆ」がディスプレイ上に表示された場合、表示制御手段３４１Ｂは、再生時間帯表示９２Ａを点滅状態から通常の表示状態に戻す。
【０１５７】
同様に、関連付けコンテンツ「断層○○町．ｍｐ４」に設定した再生開始時間「１４時４０分」を経過しても当該関連付けコンテンツを表示させる操作を検知しない場合、表示制御手段３４１Ｂは、再生時間帯表示９２Ｂを点滅させる。また、関連付けコンテンツ「日本地図．ｐｄｆ」に設定した再生開始時間「１５時」を経過しても当該関連付けコンテンツを表示させる操作を検知しない場合、表示制御手段３４１Ｂは、再生時間帯表示９２Ｃを点滅させる。さらに、関連付けコンテンツ「プレート移動．ｍｐ４」に設定した再生開始時間「１５時２０分」を経過しても当該関連付けコンテンツを表示させる操作を検知しない場合、表示制御手段３４１Ｂは、再生時間帯表示９２Ｄを点滅させる。これらの場合、好適には、再生時間帯表示９２Ａの場合と同様、表示制御手段３４１Ｂは、再生開始時間前の再生時間帯表示９２Ｂ〜９２Ｄの点滅と異なる態様により再生時間帯表示９２Ｂ〜９２Ｄを点滅させるとよい。
【０１５８】
［第３実施形態のコンテンツ再生システムによる作用効果］
第３実施形態のコンテンツ再生システムによれば、端末装置３は、再生時間帯設定画面の再生時間帯入力欄への入力に基づき、電子教科書２に設けられた関連付けエリアの各々に関連付けられたコンテンツの再生時間帯を設定する。この態様により、ユーザは、授業などで再生すべき各コンテンツの再生又は表示の予定時刻を端末装置３に設定することができる。
【０１５９】
また、端末装置３は、各関連付けエリアの再生時間帯が設定された後、現在時刻の位置を指し示す現在時刻ポインタ９１と、再生バー９０における各再生時間帯の範囲を示す再生時間帯表示９２とを有する再生バー９０が表示された再生時刻管理画面をディスプレイ上に表示する。これにより、ユーザである講師は、設定した各コンテンツの再生時間帯を把握しつつ、授業を進行させることができる。
【０１６０】
そして、端末装置３は、各再生時間帯表示９２が示す再生時間帯に所定時間以内に近づいた場合、再生バー９０上の対応する再生時間帯表示を点滅させる。これにより、ユーザは、設定した各コンテンツの再生時間帯に近づいた場合に、その事実を容易に認識することができる。
【０１６１】
また、端末装置３は、各再生時間帯表示９２が示す再生時間帯の再生開始時刻を経過しても対応するコンテンツがまだ再生又は表示されていない場合、再生バー９０上の対応する再生時間帯表示を点滅させる。これにより、ユーザは、設定した各コンテンツの再生開始時刻を経過した未再生又は未表示のコンテンツの存在を容易に把握することができる。その他、第３実施形態のコンテンツ再生システムは、第１実施形態と同様の機能を実現することができる。
【０１６２】
［変形例］
次に、第３実施形態の変形例について説明する。第３実施形態では、第１実施形態の変形例１〜３に加え、以下の変形例７〜１３を適用してもよい。
【０１６３】
（変形例７）
関連付けコンテンツの再生開始時刻が経過しても当該関連付けコンテンツを再生又は表示させる旨の操作が行われていない場合、再生制御手段３４３Ｂは、再生開始時刻の経過時に自動的に当該関連付けコンテンツを再生又は表示させてもよい。このようにすることで、コンテンツ再生システムは、設定された再生開始時刻通りに関連付けコンテンツを再生又は表示させることができる。この場合、好適には、再生制御手段３４３Ｂは、再生開始時刻の経過時に自動的に関連付けコンテンツを再生又は表示させるモードと、再生開始時刻の経過時に再生バー９０上の再生時間帯表示を強調表示させるモードとのいずれを実行すべきかユーザに予め設定させるよう構成してもよい。
【０１６４】
（変形例８）
表示制御手段３４１Ｂは、再生時間帯が設定された関連付けコンテンツのうち、既に再生又は表示された関連付けコンテンツに対応する再生バー９０上の再生時間帯表示に対し、再生又は表示が既に行われた旨の表示を付してもよい。
【０１６５】
図２５は、変形例に係る再生時刻管理画面を示す。なお、図２５に示す例では、再生順番が１番に設定された関連付けコンテンツ「ワークシート．ｐｄｆ」が設定された再生時間帯において既に表示されたものとする。
【０１６６】
この場合、再生制御手段３４３Ｂは、既に再生又は表示された関連付けコンテンツに対応する再生バー９０上の再生時間帯表示９２Ａに対し、再生又は表示が既に行われたことを示す「済」の表示を付す。これにより、ユーザは、再生又は表示が既に行われた関連付けコンテンツと、再生又は表示がまだ行われていない関連付けコンテンツとを、再生バー９０上で容易に見分けることができる。
【０１６７】
（変形例９）
再生時間帯が設定された関連付けコンテンツが、当該再生時間帯の再生開始時間と異なる時間に再生又は表示された場合、表示制御手段３４１Ｂは、実際に再生又は表示が開始された時刻に合わせて、再生バー９０上の再生時間帯表示を移動させてもよい。
【０１６８】
図２６は、再生開始時間帯が再生開始時刻「１４時４０分」から再生終了時刻「１４時５０分」に設定された関連付けコンテンツ「断層○○町．ｍｐ４」が実際の再生時刻「１４時３０分」に再生された場合の再生時刻管理画面を示す。この場合、表示制御手段３４１Ｂは、関連付けコンテンツ「断層○○町．ｍｐ４」に対応する再生時間帯表示９３の左端を、実際の再生時刻「１４時３０分」に合わせて移動させている。このようにすることで、表示制御手段３４１Ｂは、設定された再生開始時間よりも早く関連付けコンテンツの再生又は表示が行われた場合であっても、実際の再生開始時間に合わせて再生バー９０を表示することが可能となる。
【０１６９】
同様に、表示制御手段３４１Ｂは、設定された再生開始時間よりも遅く関連付けコンテンツの再生又は表示が行われた場合、実際の再生開始時間に合わせて当該再生時間帯表示を再生バー９０上で移動させてもよい。
【０１７０】
（変形例１０）
表示制御手段３４１Ｂは、関連付けコンテンツに設定した再生終了時刻が経過しても当該関連付けコンテンツが再生又は表示されている場合、再生終了時刻になった旨を音声又は表示により出力してもよい。これにより、ユーザは、再生又は表示中の関連付けコンテンツが再生終了時刻になったことを認識することができ、授業を円滑に進行することができる。
【０１７１】
（変形例１１）
上記実施形態においては、表示制御手段３４１Ｂは、再生開始時刻の所定時間前になった場合、対応する再生バー９０上の再生時間帯表示９２の表示を点滅させている。これに代えて、再生制御手段３４３Ｂは、再生時間帯表示９２の表示色や輝度などを変更することにより、当該再生時間帯表示９２を強調表示してもよい。同様に、表示制御手段３４１Ｂは、再生開始時刻を経過しても対応する関連付けコンテンツを再生又は表示させる操作が行われていない場合、再生時間帯表示９２を点滅させる代わりに、再生時間帯表示９２の表示色や輝度などを変更することにより、再生時間帯表示９２を強調表示してもよい。
【０１７２】
（変形例１２）
表示制御手段３４１Ｂは、再生順番設定モードにおいて見開き頁内の関連付けコンテンツの再生順番が決定されていない場合であっても、再生時間帯入力欄６３を含む再生時間帯設定画面を表示し、各関連付けコンテンツの再生時間帯をユーザに設定させてもよい。
【０１７３】
例えば、関連付けコンテンツが複数存在する場合には、表示制御手段３４１Ｂは、頁番号が小さい頁であって上方に位置する関連付けエリアに対応する関連付けコンテンツから順に再生順番を自動的に割当てた後、各再生順番に対応する再生時間帯入力欄を再生時間帯設定画面において表示してもよい。これによっても、再生設定手段３４２Ｂは、関連付けコンテンツの各再生時間帯を設定することができる。
【０１７４】
（変形例１３）
第３実施形態の処理は、第２実施形態に係る構成を有するコンテンツ再生システムが実行してもよい。この場合、図１３に示すように、コンテンツ再生システムは、講師が使用する電子ペン１と、各頁の略全面にドットパターン（コード化パターン）が印刷された教科書（教材）２Ａと、電子ペン１から記入情報等を受信して処理する端末装置３Ａと、端末装置３Ａと接続され、そのディスプレイの表示画面と同じ画像をドットスクリーン５Ａに投影するプロジェクタ４と、ドットパターンが印刷されたドットスクリーン５Ａとを備える。そして、コンテンツ再生システムは、教科書２Ａ又はドットスクリーン５Ａへの電子ペン１による記入操作に基づき、各関連付けコンテンツの再生時間帯を設定する。
【０１７５】
ここで、電子ペン１によりタップされたアイコンが時間設定用アイコン６２の場合、表示制御手段３４１Ｂは、［再生時間帯の設定］のセクションで述べたように、再生時間帯入力欄を含む再生時間帯設定画面をドットスクリーン５Ａ上に表示する。そして、再生時間帯設定画面において、再生時間帯入力欄が選択された場合、再生設定手段３４２Ｂは、例えば数字を入力するためのキーボードなどのＧＵＩを表示し、再生開始時刻及び再生終了時刻をユーザに電子ペン１のタップ操作によりそれぞれ入力させる。そして、再生設定手段３４２Ｂは、上述のタップ操作により生成された電子ペン１の記入情報に基づき、再生順番が定められた各コンテンツの再生時間帯を決定し、関連付けエリア情報に記憶する。
【０１７６】
また、再生設定手段３４２Ｂは、電子ペン１により時間設定用アイコン６２がタップされた後、教科書２Ａに設けられた再生時間帯入力欄に電子ペン１による記入があったことを電子ペン１から受信した記入情報に基づき検知した場合、そのストロークの文字認識を行う。そして、再生設定手段３４２Ｂは、各再生時間帯入力欄に記入されたストロークが示す再生開始時刻及び再生終了時刻に基づき、再生順番が定められた各コンテンツの再生時間帯を決定し、関連付けエリア情報に記憶する。
【０１７７】
さらに、関連付けコンテンツの再生順番及び再生時間帯が設定された場合、再生設定手段３４２Ｂは、再生時刻管理画面をドットスクリーン５Ａ上に表示し、第３実施形態の［コンテンツの再生］のセクションで述べたように、設定された各関連付けコンテンツの再生開始時刻に応じて、再生バー９０上の各再生時間帯表示の点滅などを行う。
このように、図１３に示す構成であっても、コンテンツ再生システムは、ドットスクリーン５Ａに投影表示された再生時間帯設定画面の再生時間帯入力欄、又は教科書２Ａの各見開き頁に設けられた再生時間帯入力欄への電子ペン１による記入情報に基づき、関連付けエリアの各々に関連付けられたコンテンツの再生時間帯を好適に設定することができる。
【０１７８】
＜第４実施形態＞
第４実施形態では、コンテンツ再生システムは、第１実施形態の処理に加え、再生順番が設定されてから未再生又は未表示の関連付けコンテンツが再生又は表示された場合に、再生順番設定モードにおいて設定された再生順番を再設定する。以後では、第１実施形態と同様の部分については、同一の符号を付し、適宜その説明を省略する。
【０１７９】
［電子教科書］
【０１８０】
図２７は、第４実施形態において、第２２、２３頁が見開き状態で表示された電子教科書２の上面図を示す。図２７に示すように、第４実施形態に係る電子教科書２の操作領域４０は、未再生順番表示アイコン６４をさらに有する点で、図２に示す第１実施形態に係る操作領域４０と異なる。
【０１８１】
未再生順番表示アイコン６４は、再生順番設定モードにおいて再生順番が設定されてから未再生又は未表示の関連付けコンテンツ（単に「未再生コンテンツ」とも呼ぶ。）の各々の再生順番を表示するための操作領域である。未再生順番表示アイコン６４が選択された場合に表示される再生順番は、再生順番設定モードにおいて設定された再生順番（「初期再生順番」とも呼ぶ。）とは異なり、既に再生又は表示された関連付けコンテンツを除外した未再生コンテンツの再生順番（「更新再生順番」とも呼ぶ。）である。更新再生順番の決定方法については、［更新再生順番の設定］のセクションで詳しく説明する。
【０１８２】
［端末装置］
図２８は、第４実施形態に係る端末装置３の機能ブロック図である。図２８に示すように、第４実施形態に係る端末装置３の処理手段３４は、表示制御手段３４１Ｃと、再生順番設定手段３４２Ｃと、再生制御手段３４３Ｃと、再生順番再設定手段３４４Ｃとを備える。そして、処理手段３４は、表示手段３６のディスプレイに表示されたアイコン４１乃至６１、６４がタッチパネル操作により選択されたことを検知した場合、選択されたアイコンに関連付けられた機能に応じて所定の処理を行う。
【０１８３】
具体的には、タッチパネル操作により選択されたアイコンがアイコン４１乃至６１の場合、処理手段３４は、第１実施形態と同様の処理を行う。例えば、タッチパネル操作により選択されたアイコンがアイコン６０の場合、処理手段３４の再生順番設定手段３４２Ｃは、同一の見開き頁にある関連付けエリアに関連付けられたコンテンツの初期再生順番を決定する。また、タッチパネル操作により選択されたアイコンがアイコン６１の場合、再生制御手段３４３Ｃは、設定された再生順番に従い、次に再生すべき関連付けコンテンツを再生する。このとき、次に再生すべき関連付けコンテンツが関連付けられている頁が現在表示中の見開き頁と異なる場合、表示制御手段３４１Ｃは、第１実施形態と同様、現在表示中の見開き頁から、次に再生すべき関連付けコンテンツが関連付けられている見開き頁へ、頁がめくられるように表示を遷移させる。タッチパネル操作により選択されたアイコンが未再生順番表示アイコン６４の場合、表示制御手段３４１Ｃは、各未再生コンテンツに対応する関連付けエリアを強調表示すると共に、各関連付けエリアに対して更新再生順番を重畳して表示する。この処理については、［更新再生順番の表示］のセクションで具体的に説明する。
【０１８４】
また、再生順番再設定手段３４４Ｃは、未再生コンテンツが再生された場合、他の未再生コンテンツの各更新再生順番を決定する。この処理については、［更新再生順番の設定］のセクションで詳しく説明する。
【０１８５】
次に、第４実施形態において記憶手段３３が記憶する関連付けエリア情報について、図２９を参照して説明する。図２９は、関連付けエリア情報のデータ構造を示す。図２９に示すように、第４実施形態に係る関連付けエリア情報には、エリア番号、教科書ＩＤ、頁番号、頁内位置、及び関連付けコンテンツの各項目に対応する情報に加えて、関連付けコンテンツの初期再生順番を示す「初期再生順番」の項目と、未再生コンテンツの更新再生順番を示す「更新再生順番」の項目とに対応する情報がそれぞれ関連付けられている。「初期再生順番」の項目の値は、第１実施形態の［再生順番の設定］のセクションで述べた再生順番設定モードにおいて設定された再生順番に設定される。また、「更新再生順番」の項目は、「初期再生順番」の項目の値を初期値とし、未再生コンテンツが再生又は表示される度に、後述する図３０のフローチャートに基づき、再生順番再設定手段３４４Ｃにより更新される。また、「更新再生順番」の項目は、対応する関連付けコンテンツが既に再生又は表示済みである場合、「再生済み」に設定される。
【０１８６】
［更新再生順番の設定］
次に、再生順番が定められた関連付けコンテンツが再生又は表示された際に再生順番再設定手段３４４Ｃが実行する更新再生順番の設定方法について説明する。概略的には、再生順番再設定手段３４４Ｃは、未再生コンテンツが再生又は表示された場合、残余の未再生コンテンツに設定する各更新再生順番を、初期再生順番に従い１から始まる通し番号となるように設定する。
【０１８７】
図３０は、再生順番再設定手段３４４Ｃが行う更新再生順番の設定処理の手順を示すフローチャートである。再生順番再設定手段３４４Ｃは、図３０に示すフローチャートの処理を繰り返し実行する。
【０１８８】
まず、再生順番再設定手段３４４Ｃは、未再生コンテンツを再生又は表示させる操作を検知したか否か判定する（ステップＳ１０１）。具体的には、再生順番再設定手段３４４Ｃは、再生用アイコン６１が選択されたか否か、及び、未再生コンテンツに関連付けられた関連付けエリアが選択されたか否か判定する。なお、後者の判定では、再生順番再設定手段３４４Ｃは、関連付けエリア情報の「更新再生順番」の項目を参照して、選択された関連付けエリアに関連付けられたコンテンツが再生済みであるか否か判定する。そして、未再生コンテンツを再生又は表示させる操作を検知しない場合（ステップＳ１０１：Ｎｏ）、再生順番再設定手段３４４Ｃは、未再生コンテンツを再生又は表示させる操作を検知したか否か判定を引き続き行う。
【０１８９】
一方、再生順番再設定手段３４４Ｃが未再生コンテンツを再生又は表示させる操作を検知した場合（ステップＳ１０１：Ｙｅｓ）、再生制御手段３４３Ｃは、当該未再生コンテンツの再生又は表示を行う（ステップＳ１０２）。具体的には、再生制御手段３４３Ｃは、再生用アイコン６１が選択された場合には、更新再生順番が１番の未再生コンテンツを再生又は表示し、関連付けエリアが選択された場合には、当該関連付けエリアに関連付けられた未再生コンテンツを再生又は表示する。そして、再生順番再設定手段３４４Ｃは、再生又は表示されたコンテンツに対して、再生済みである旨のフラグを付す（ステップＳ１０３）。図２９の例では、再生順番再設定手段３４４Ｃは、再生又は表示されたコンテンツに対応する関連付けエリア情報の「更新再生順番」の項目を、「再生済み」に設定する。
【０１９０】
次に、再生順番再設定手段３４４Ｃは、他の未再生コンテンツがあるか否か判定する（ステップＳ１０４）。具体的には、再生順番再設定手段３４４Ｃは、関連付けエリア情報の「更新再生順番」の項目を参照し、未再生コンテンツがあるか否か判定する。そして、他の未再生コンテンツがない場合（ステップＳ１０４：Ｎｏ）、再生順番再設定手段３４４Ｃは、フローチャートの処理を終了する。なお、この場合、再生順番再設定手段３４４Ｃは、各関連付けコンテンツの更新再生順番を、初期再生順番に設定することで初期化するとよい。これにより、ユーザは、他のクラスの授業において、再生順番設定モードにおいて設定した初期再生順番に基づき再び各関連付けコンテンツを再生又は表示することができる。
【０１９１】
一方、他の未再生コンテンツがある場合（ステップＳ１０４：Ｙｅｓ）、再生順番再設定手段３４４Ｃは、ステップＳ１０２で再生又は表示されたコンテンツ以後の更新再生順番にある未再生コンテンツの各更新再生順番を１つ繰り上げる（ステップＳ１０５）。即ち、再生順番再設定手段３４４Ｃは、関連付けエリア情報の「更新再生順番」の項目を参照し、ステップＳ１０２で再生又は表示されたコンテンツの更新再生順番より数値が大きい更新再生順番の数値を「１」だけ減算する。これにより、再生順番再設定手段３４４Ｃは、エリア選択に基づく再生により更新再生順番が１番でない未再生コンテンツの再生が行われた場合であっても、残余の未再生コンテンツの各更新再生順番を、初期再生順番に従い１から始まる通し番号となるように適切に設定することができる。この具体例については、［コンテンツ再生］のセクションで詳しく述べる。
【０１９２】
［コンテンツ再生］
次に、コンテンツの再生又は表示の具体例について場合分けして説明する。
【０１９３】
（１）アイコン選択に基づくコンテンツ再生のみが行われる場合
まず、再生用アイコン６１の選択のみによってコンテンツの再生又は表示が行われる場合について、図３１を参照して説明する。概略的には、再生制御手段３４３Ｃは、この場合、再生用アイコン６１がタッチされる毎に、更新再生順番が１番である関連コンテンツの再生を開始する。図３１は、第１実施形態の［再生順番の設定］のセクションで述べた処理に従い初期再生順番が設定された後、端末装置３のディスプレイに表示された見開き頁上で操作が行われていることを示す図である。図３１の例では、関連付けコンテンツはいずれも再生又は表示されていないものとする。
【０１９４】
図３１において、まず、再生用アイコン６１が指先８０によりタッチされる。この場合、処理手段３４の再生制御手段３４３Ｃは、再生用アイコン６１がタッチパネル操作により選択されたことを認識する。そして、この場合、再生制御手段３４３Ｃは、図２９に示す関連付けエリア情報を参照し、初期再生順番が１番に設定され、かつ、更新再生順番が１番である関連付けコンテンツを再生又は表示する。具体的には、再生制御手段３４３Ｃは、関連付けエリア２１に関連付けられた「ワークシート１．ｐｄｆ」をディスプレイ画面上に表示する。また、この場合、電子黒板５の投影範囲５０にも同様に、「ワークシート１．ｐｄｆ」が投影表示される。
【０１９５】
ファイル「ワークシート１．ｐｄｆ」がディスプレイ上に表示された後、再生順番再設定手段３４４Ｃは、関連付けエリア情報のファイル「ワークシート１．ｐｄｆ」に対応する「更新再生順番」の項目を「再生済み」に設定する（図３０のステップＳ１０３参照）。また、再生順番再設定手段３４４Ｃは、表示した関連付けコンテンツの更新再生順番が１番であることから、更新再生順番が２番以降の未再生コンテンツの各更新再生順番を１つ繰り上げる（図３０のステップＳ１０５参照）。具体的には、この場合、関連付けコンテンツ「断層○○町．ｍｐ４」の更新再生順番は２番から１番になり、関連付けコンテンツ「日本地図．ｐｄｆ」の更新再生順番は３番から２番になり、関連付けコンテンツ「プレート移動．ｍｐ４」の更新再生順番は４番から３番になる。このように、未再生コンテンツの各更新再生順番は、再び１から始まる通し番号となる。
【０１９６】
次に、再生用アイコン６１が指先８０により再びタッチされる。この場合、処理手段３４の再生制御手段３４３Ｃは、タッチパネルから送信される検出信号に基づき、再生用アイコン６１がタッチされたことを認識する。そして、この場合、再生制御手段３４３Ｃは、図２９に示す関連付けエリア情報を参照し、初期再生順番が２番に設定され、かつ、更新再生順番が１番である関連付けコンテンツを再生又は表示する。具体的には、再生制御手段３４３Ｃは、関連付けエリア２２に関連付けられた動画コンテンツ「断層○○町．ｍｐ４」を再生する。また、この場合、電子黒板５の投影範囲５０にも同様に、動画コンテンツ「断層○○町．ｍｐ４」が投影表示される。なお、再生制御手段３４３Ｃは、動画コンテンツ「断層○○町．ｍｐ４」を再生する場合に、コンテンツ「ワークシート１．ｐｄｆ」を強制的に終了させてもよく、動画コンテンツ「断層○○町．ｍｐ４」の背面に表示位置を遷移させる処理のみを行ってもよい。さらに、再生順番再設定手段３４４Ｃは、関連付けエリア情報のファイル「断層○○町．ｍｐ４」に対応する「更新再生順番」の項目を「再生済み」に設定し（図３０のステップＳ１０３参照）、かつ、他の全ての未再生コンテンツの更新再生順番を１だけ繰り上げる（図３０のステップＳ１０５参照）。これにより、関連付けコンテンツ「日本地図．ｐｄｆ」の更新再生順番は２番から１番になり、関連付けコンテンツ「プレート移動．ｍｐ４」の更新再生順番は３番から２番になる。
【０１９７】
同様に、再生用アイコン６１が指先８０により再びタッチされた場合、初期再生順番が３番に設定され、かつ、更新再生順番が１番である関連付けコンテンツ「日本地図．ｐｄｆ」を表示する。そして、再生順番再設定手段３４４Ｃは、関連付けエリア情報のファイル「日本地図．ｐｄｆ」に対応する「更新再生順番」の項目を「再生済み」に設定し（図３０のステップＳ１０３参照）、かつ、他の未再生コンテンツの更新再生順番の数値を１だけ減算する（図３０のステップＳ１０５参照）。これにより、関連付けコンテンツ「プレート移動．ｍｐ４」の更新再生順番は２番から１番になる。また、このとき、さらに、表示制御手段３４１Ｃは、表示中の見開き頁（２２、２３頁）から、関連付けコンテンツ「日本地図．ｐｄｆ」が関連付けられた見開き頁（２４、２５頁）へ、頁をめくる表示を行う。これにより、内容表示領域２０には、第２４頁及び第２５頁の見開き頁が表示される。
【０１９８】
そして、再生用アイコン６１が指先８０により再びタッチされた場合、初期再生順番が４番に設定され、かつ、更新再生順番が１番である関連付けコンテンツ「プレート移動．ｍｐ４」を再生又は表示する。そして、再生順番再設定手段３４４Ｃは、関連付けエリア情報のファイル「プレート移動．ｍｐ４」に対応する「更新再生順番」の項目を「再生済み」に設定する（図３０のステップＳ１０３参照）。また、再生順番再設定手段３４４Ｃは、他の未再生コンテンツが存在しないことから、関連付けエリア情報の各関連付けコンテンツの「更新再生順番」の各項目を初期値である初期再生順番の値に戻すなどの処理を行う。
【０１９９】
このように、再生制御手段３４３Ｃは、ユーザである講師が予定していた授業の流れに沿って、授業中、再生順番に間違いを生じさせることなく、コンテンツを適切に再生することができる。
【０２００】
なお、電子黒板５の投影範囲５０に投影表示された電子教科書２の再生用アイコン６１がタッチされた場合も、同様に、端末装置３は、更新再生順番が１番の関連付けコンテンツを再生する。具体的には、投影範囲５０内における再生用アイコン６１の表示位置がスタイラスなどによりタッチされた場合、再生制御手段３４３Ｃは、電子黒板５から受信した入力情報の座標情報を座標変換関数により表示手段３６のディスプレイにかかる座標系に変換し、変換後の位置座標に基づき、再生用アイコン６１が指定されたことを認識する。そして、この場合、再生制御手段３４３Ｃは、関連付けエリア情報を参照し、現在ディスプレイ上に表示中の見開き頁を対象に、更新再生順番が１番の関連付けコンテンツを再生する。また、再生順番再設定手段３４４Ｃは、この場合、未再生コンテンツの更新再生順番を１だけ繰り上げる処理などを行う。
【０２０１】
（２）エリア選択に基づく再生が行われる場合
次に、アイコン選択に基づくコンテンツ再生に代えて、又はこれに加えて、エリア選択に基づく再生が行われる場合について説明する。以下では、一例として、一度再生用アイコン６１が選択された後、関連付けエリア２３が選択された場合について説明する。
【０２０２】
まず、再生用アイコン６１が指先８０によりタッチされた場合、再生制御手段３４３Ｃは、初期再生順番が１番に設定され、かつ、更新再生順番が１番である関連付けコンテンツ「ワークシート１．ｐｄｆ」を再生又は表示する（図３０のステップＳ１０２参照）。そして、再生順番再設定手段３４４Ｃは、関連付けエリア情報のファイル「ワークシート１．ｐｄｆ」に対応する「更新再生順番」の項目を「再生済み」に設定する（図３０のステップＳ１０３参照）。また、再生順番再設定手段３４４Ｃは、表示した関連付けコンテンツの更新再生順番が１番であることから、更新再生順番が２番以降の未再生コンテンツの各更新再生順番を１つ繰り上げる（図３０のステップＳ１０５参照）。具体的には、この場合、関連付けコンテンツ「断層□□町．ｍｐ４」の更新再生順番は２番から１番になり、関連付けコンテンツ「断層○○町．ｍｐ４」の更新再生順番は３番から２番になり、関連付けコンテンツ「断層△△町．ｍｐ４」の更新再生順番は４番から３番になる。このように、未再生コンテンツの各更新再生順番は、再び１から始まる通し番号となる。
【０２０３】
次に、関連付けエリア２３が指先８０によりタッチされた場合、再生制御手段３４３Ｃは、関連付けエリア情報を参照し、当該関連付けエリアに関連付けられた関連付けコンテンツ「日本地図．ｐｄｆ」を表示する（図３０のステップＳ１０２参照）。そして、再生順番再設定手段３４４Ｃは、関連付けエリア情報のファイル「日本地図．ｐｄｆ」に対応する「更新再生順番」の項目を「再生済み」に設定する（図３０のステップＳ１０３参照）。また、再生順番再設定手段３４４Ｃは、再生した関連付けコンテンツの更新再生順番が２番であることから、更新再生順番が３番以降の未再生コンテンツの各更新再生順番を１つ繰り上げる（図３０のステップＳ１０５参照）。これにより、関連付けコンテンツ「プレート移動．ｍｐ４」の更新再生順番は３番から２番になる。一方、関連付けコンテンツ「断層○○町．ｍｐ４」の更新再生順番は１番のままとなる。このように、エリア選択に基づく再生が適宜行われた結果、設定した順番通りでないコンテンツを再生又は表示した場合であっても、再生順番再設定手段３４４Ｃは、残余の未再生コンテンツに対する各更新再生順番を、１から始まる通し番号となるように再設定する。また、このとき、さらに、表示制御手段３４１Ｃは、表示中の見開き頁（２２、２３頁）から、関連付けコンテンツ「日本地図．ｐｄｆ」が関連付けられた見開き頁（２４、２５頁）へ、頁をめくる表示を行う。
【０２０４】
そして、再生用アイコン６１が指先８０により再びタッチされた場合、再生制御手段３４３Ｃは、更新再生順番が１番である関連付けコンテンツ「断層○○町．ｍｐ４」の再生を行う。この場合、再生順番再設定手段３４４Ｃは、更新再生順番が「２」であった「プレート移動．ｍｐ４」の更新再生順番を「１」に設定する。また、このとき、さらに、表示制御手段３４１Ｃは、表示中の見開き頁（２４、２５頁）から、関連付けコンテンツ「断層○○町．ｍｐ４」が関連付けられた見開き頁（２２、２３頁）へ、頁をめくる表示を行う。
【０２０５】
このように、エリア選択に基づく再生が適宜行われた結果、設定した順番通りでないコンテンツを再生又は表示した場合であっても、端末装置３は、残余の未再生コンテンツに対する更新再生順番を、初期再生順番に従い１から始まる通し番号になるように設定する。これにより、ユーザは、再生用アイコン６１の選択と、関連付けエリアの選択とを併用した場合であっても、漏れなくコンテンツの再生又は表示を行うことができる。
【０２０６】
［更新再生順番の表示］
次に、未再生順番表示アイコン６４が選択された場合の電子教科書２の表示について説明する。図３２は、未再生順番表示アイコン６４が選択された端末装置３のディスプレイ画面を示す。ここでは、一度再生用アイコン６１が選択され、その後に関連付けエリア２３が選択された際に、未再生順番表示アイコン６４が選択されたものとする。
【０２０７】
図３２に示すように、この場合、表示制御手段３４１Ｃは、未再生コンテンツに関連付けられた関連付けエリア２２を強調表示すると共に、更新再生順番を重畳して表示する。ここで、図２９に示す関連付けエリア情報と同様、関連付けエリア２２に関連付けられたコンテンツ「断層○○町．ｍｐ４」の更新再生順番は「１」である。従って、関連付けエリア２２には、「（１）」の文字が重畳して表示される。
【０２０８】
同様に、図３２の状態からアイコン４４が選択されて第２４頁及び第２５頁が表示された場合、表示制御手段３４１Ｃは、未再生コンテンツである「プレート移動．ｍｐ４」に関連付けられた関連付けエリア２４を強調表示すると共に、更新再生順番「２」を重畳して表示する。
【０２０９】
このように、ユーザは、未再生順番表示アイコン６４を選択することで、未再生コンテンツに対応する関連付けエリア及びその更新再生順番を容易に把握することができる。
【０２１０】
［第４実施形態のコンテンツ再生システムによる作用効果］
第４実施形態のコンテンツ再生システムによれば、再生順番再設定手段３４４Ｃは、初期再生順番が設定された未再生コンテンツが再生又は表示された場合、関連付けエリアに関連付けられた未再生コンテンツの更新再生順番を、初期再生順番に基づき１から始まる通し番号となるように設定する。これにより、端末装置３は、予め設定した初期再生順番と異なる順に一部のコンテンツが再生又は表示された場合であっても、残余の未再生コンテンツの再生順番を好適に設定することができる。
【０２１１】
また、再生制御手段３４３Ｃは、電子教科書２の見開き頁内の関連付けエリアが選択された場合、更新再生順番が１番であるか否かに関わらず、当該関連付けエリアに関連付けられたコンテンツを再生又は表示する。そして、この場合、再生順番再設定手段３４４Ｃは、再生又は表示されたコンテンツ以後の更新再生順番にある未再生コンテンツの各更新再生順番を１つ繰り上げる。このように、端末装置３は、予め設定した順番と異なる順に一部のコンテンツを再生又は表示させた場合であっても、残余の未再生コンテンツの更新再生順番を好適に設定することができる。
【０２１２】
また、電子教科書２の各見開き頁には、未再生順番表示アイコン６４が設けられ、未再生順番表示アイコン６４が選択された場合、表示制御手段３４１Ｃは、未再生コンテンツに対応する各関連付けエリアを強調表示すると共に、各未再生コンテンツの更新再生順番を、対応する関連付けエリアに重畳して表示する。これにより、ユーザは、残余の未再生コンテンツの再生順番を容易に把握することができる。その他、第４実施形態のコンテンツ再生システムは、第１実施形態と同様の機能を実現することができる。
【０２１３】
［変形例］
次に、第４実施形態の変形例について説明する。第４実施形態では、第１実施形態の変形例１〜３に加え、以下の変形例１４〜１６を適用してもよい。
【０２１４】
（変形例１４）
エリア選択に基づく再生により、更新再生順番が１番でない未再生コンテンツの再生が行われた場合、再生順番再設定手段３４４Ｃは、残余の未再生コンテンツの更新再生順番をユーザの入力に基づき決定してもよい。例えば、この場合、再生順番再設定手段３４４Ｃは、再生順番設定モードと同様に、未再生コンテンツの関連付けエリアを再生又は表示したい順に選択させることで、未再生コンテンツの更新再生順番を決定する。これによっても、好適に、更新再生順番が１番でない未再生コンテンツの再生が行われた場合に、再生順番再設定手段３４４Ｃは、残余の未再生コンテンツの更新再生順番を定めることができる。
【０２１５】
（変形例１５）
再生順番設定モードにおいて見開き頁内の関連付けコンテンツの初期再生順番を決定する代わりに、再生順番設定手段３４２Ｃは、所定の規則に基づき自動的に初期再生順番を決定してもよい。
【０２１６】
例えば、再生順番設定手段３４２Ｃは、関連付けコンテンツが複数存在する場合、表示制御手段３４１Ｃは、頁番号が小さい頁であって上方に位置する関連付けエリアに対応する関連付けコンテンツから順に初期再生順番を自動的に割当てる。これにより、再生順番設定手段３４２Ｃは、授業の進行に応じた適切な初期再生順番を設定することができる。この場合であっても、ユーザは、エリア選択に基づく再生により、更新再生順番が１番でない未再生コンテンツの再生を行うことができ、かつ、再生順番再設定手段３４４Ｃは、図３０のフローチャートに基づき、残余の未再生コンテンツの更新再生順番を適切に設定することができる。
【０２１７】
（変形例１６）
第４実施形態の処理は、第２実施形態に係る構成を有するコンテンツ再生システムが実行してもよい。この場合、図１３に示すように、コンテンツ再生システムは、講師が使用する電子ペン１と、各頁の略全面にドットパターン（コード化パターン）が印刷された教科書（教材）２Ａと、電子ペン１から記入情報等を受信して処理する端末装置３Ａと、端末装置３Ａと接続され、そのディスプレイの表示画面と同じ画像をドットスクリーン５Ａに投影するプロジェクタ４と、ドットパターンが印刷されたドットスクリーン５Ａとを備える。そして、コンテンツ再生システムは、教科書２Ａ又はドットスクリーン５Ａへの電子ペン１による記入操作に基づき、初期再生順番を決定したり、関連付けコンテンツの再生又は表示をしたりする。また、コンテンツ再生システムは、未再生コンテンツが再生又は表示された場合には、第４実施形態と同様に各未再生コンテンツの更新再生順番を設定する。
【０２１８】
例えば、電子ペン１によりタップされたアイコンがアイコン６０の場合、端末装置３Ａの再生順番設定手段３４２Ｃは、再生順番設定モードを開始し、関連付けエリアに関連付けられたコンテンツの初期再生順番を決定する。電子ペン１によりタップされたアイコンが再生用アイコン６１の場合、再生制御手段３４３Ｃは、更新再生順番が１番に設定された関連付けコンテンツをドットスクリーン５Ａに投影して再生または表示する。また、電子ペン１によりタップされたアイコンが未再生順番表示アイコン６４の場合、表示制御手段３４１Ｃは、各未再生コンテンツに対応する関連付けエリアを強調表示すると共に、各関連付けエリアに対応する更新再生順番を重畳して表示する。また、再生順番再設定手段３４４Ｃは、未再生コンテンツが再生又は表示された場合、図２９に示すフローチャートに従い、残余の未再生コンテンツに設定する更新再生順番を設定する。
【０２１９】
このように、図１３に示す構成であっても、コンテンツ再生システムは、教科書２Ａ又はドットスクリーン５Ａへの電子ペン１による記入情報に基づき、好適に、初期再生順番及び更新再生順番を決定したり、関連付けコンテンツの再生又は表示をしたりすることができる。
【符号の説明】
【０２２０】
１…電子ペン
２…電子教科書
３、３Ａ…端末装置
４…プロジェクタ
５…電子黒板
５Ａ…ドットスクリーン
【図１】
2014013433.tif 000003
【図２】
2014013433.tif 000004
【図３】
2014013433.tif 000005
【図４】
2014013433.tif 000006
【図５】
2014013433.tif 000007
【図６】
2014013433.tif 000008
【図７】
2014013433.tif 000009
【図８】
2014013433.tif 000010
【図９】
2014013433.tif 000011
【図１０】
2014013433.tif 000012
【図１１】
2014013433.tif 000013
【図１２】
2014013433.tif 000014
【図１３】
2014013433.tif 000015
【図１４】
2014013433.tif 000016
【図１５】
2014013433.tif 000017
【図１６】
2014013433.tif 000018
【図１７】
2014013433.tif 000019
【図１８】
2014013433.tif 000020
【図１９】
2014013433.tif 000021
【図２０】
2014013433.tif 000022
【図２１】
2014013433.tif 000023
【図２２】
2014013433.tif 000024
【図２３】
2014013433.tif 000025
【図２４】
2014013433.tif 000026
【図２５】
2014013433.tif 000027
【図２６】
2014013433.tif 000028
【図２７】
2014013433.tif 000029
【図２８】
2014013433.tif 000030
【図２９】
2014013433.tif 000031
【図３０】
2014013433.tif 000032
【図３１】
2014013433.tif 000033
【図３２】
2014013433.tif 000034